(57)【要約】  本願の実施形態は、情報伝送方法、光回線終端装置、光ネットワークユニット、および通信システムを提供する。光回線終端装置ＯＬＴ側における方法は、ＯＬＴにより、第１チャネルを介して、第１光ネットワークユニットＯＮＵに識別子を割り当て、第１チャネルを介して第１ＯＮＵに測距を実行して、第１チャネルについての測距情報を取得する段階と、ＯＬＴおよびＯＮＵにより、情報伝送を実行するために２つのチャネルを使用することをネゴシエーションによって決定した後、ＯＬＴにより、第２チャネルを介して第１ＯＮＵと共に第１サービスのデータ伝送を実行する段階とを含む。この方法において、識別子の割り当ておよび測距が第１チャネルを介して実行され、第１サービスのデータ伝送が第２チャネルを介して実行される。このように、遅延要件が比較的に高いサービスデータに対して、比較的に大きい遅延が生成されなくなる。これは、これらのサービスの正常な実行をさらに保証する。
2021536184.tif 000002
【特許請求の範囲】
【請求項１】
光回線終端装置（ＯＬＴ）に適用される情報伝送方法であって、前記情報伝送方法は、
前記ＯＬＴにより、第１チャネルを介して、第１光ネットワークユニット（ＯＮＵ）に識別子を割り当て、前記第１チャネルを介して前記第１ＯＮＵに測距を実行して、前記第１チャネルについての測距情報を取得する段階と、
前記ＯＬＴおよび前記第１ＯＮＵにより、情報伝送を実行するために２つのチャネルを使用することをネゴシエーションによって決定した後、前記ＯＬＴにより、第２チャネルを介して前記第１ＯＮＵと共に第１サービスのデータ伝送を実行する段階と
を備える、方法。
【請求項２】
前記ＯＬＴにより、第２チャネルを介して前記第１ＯＮＵと共に第１サービスのデータ伝送を実行する前記段階の前に、前記方法はさらに、
前記ＯＬＴおよび前記第１ＯＮＵにより、前記情報伝送を実行するために前記２つのチャネルを使用するかどうかをネゴシエーションによって決定する段階を備える、請求項１に記載の方法。
【請求項３】
前記ＯＬＴおよび前記第１ＯＮＵにより、前記情報伝送を実行するために前記２つのチャネルを使用するかどうかをネゴシエーションによって決定する前記段階は、
前記ＯＬＴにより、前記第１ＯＮＵにより送信されたデュアルチャネルサポート能力情報を受信する段階であって、前記デュアルチャネルサポート能力情報は、前記第１ＯＮＵによりサポートされる前記第１チャネルのタイプと前記第２チャネルのタイプとを備える、受信する段階と、
前記ＯＬＴにより、前記第１ＯＮＵにより送信された前記デュアルチャネルサポート能力情報と前記ＯＬＴのデュアルチャネルサポート能力とに基づいて、前記情報伝送を実行するために前記２つのチャネルを使用するかどうかを決定する段階と
を備える、請求項２に記載の方法。
【請求項４】
前記ＯＬＴおよび前記第１ＯＮＵにより、前記情報伝送を実行するために前記２つのチャネルを使用することをネゴシエーションによって決定する前記段階の後、前記方法はさらに、
前記ＯＬＴにより、前記第１ＯＮＵにデュアルチャネル構成情報を送信する段階であって、前記デュアルチャネル構成情報は、前記ＯＬＴにより選択された前記第１チャネルのタイプと前記第２チャネルのタイプとを備える、送信する段階を備える、請求項２または３に記載の方法。
【請求項５】
前記ＯＬＴにより、第２チャネルを介して前記第１ＯＮＵと共に第１サービスのデータ伝送を実行する前記段階の前に、前記方法はさらに、
前記ＯＬＴにより、前記第１チャネルについての前記測距情報とチャネルパス遅延差とに基づいて、前記第２チャネルについての測距情報を決定する段階であって、前記チャネルパス遅延差は、ＯＬＴ回路伝送遅延間の差分値と、ＯＮＵ回路伝送遅延間の差分値と、異なる波長によって生じる光パス伝送遅延間の差分値とのうち少なくとも１つを備える、決定する段階を備える、請求項１から４のいずれか一項に記載の方法。
【請求項６】
前記ＯＬＴにより、第２チャネルを介して前記第１ＯＮＵと共に第１サービスのデータ伝送を実行する前記段階は、
前記ＯＬＴにより、前記第２チャネルについての前記測距情報と前記第１ＯＮＵに割り当てられた前記識別子とに基づいて、前記第２チャネルを介して前記第１ＯＮＵと共に前記第１サービスの前記データ伝送を実行する段階を備える、請求項５に記載の方法。
【請求項７】
前記方法はさらに、
前記ＯＬＴにより、前記第１チャネルまたは前記第２チャネルを介して、前記第１ＯＮＵと共に第２サービスのデータ伝送を実行する段階を備える、請求項１から６のいずれか一項に記載の方法。
【請求項８】
前記第１サービスの遅延は予め設定された遅延より小さく、前記第２サービスの遅延は前記予め設定された遅延より大きいまたはそれに等しい、請求項７に記載の方法。
【請求項９】
光ネットワークユニット（ＯＮＵ）に適用された情報伝送方法であって、前記情報伝送方法は、
前記ＯＮＵにより、第１チャネルを介して識別子を取得し、前記第１チャネルを介して測距を実行して、前記第１チャネルについての測距情報を取得する段階と、
前記ＯＮＵおよび光回線終端装置（ＯＬＴ）により、情報伝送を実行するために２つのチャネルを使用することをネゴシエーションによって決定した後、前記ＯＮＵにより、第２チャネルを介して前記ＯＬＴと共に第１サービスのデータ伝送を実行する段階と
を備える、方法。
【請求項１０】
前記ＯＮＵにより、第２チャネルを介して前記ＯＬＴと共に第１サービスのデータ伝送を実行する前記段階の前に、前記方法はさらに、
前記ＯＮＵおよび前記ＯＬＴにより、前記情報伝送を実行するために前記２つのチャネルを使用するかどうかをネゴシエーションによって決定する段階を備える、請求項９に記載の方法。
【請求項１１】
前記ＯＮＵおよび前記ＯＬＴにより、前記情報伝送を実行するために前記２つのチャネルを使用するかどうかをネゴシエーションによって決定する前記段階は、
前記ＯＮＵにより、前記ＯＬＴにデュアルチャネルサポート能力情報を送信する段階であって、前記デュアルチャネルサポート能力情報は、前記ＯＮＵによりサポートされる前記第１チャネルのタイプと前記第２チャネルのタイプとを備える、送信する段階と、
前記ＯＮＵにより、前記ＯＬＴにより送信されたデュアルチャネル構成情報を受信する段階であって、前記デュアルチャネル構成情報は、前記ＯＬＴにより選択された前記第１チャネルのタイプと前記第２チャネルのタイプとを備える、受信する段階と
を備える、請求項１０に記載の方法。
【請求項１２】
前記ＯＮＵにより、第２チャネルを介して前記ＯＬＴと共に第１サービスのデータ伝送を実行する前記段階の前に、前記方法はさらに、
前記ＯＮＵにより、前記第１チャネルについての前記測距情報とチャネルパス遅延差とに基づいて、前記第２チャネルについての測距情報を決定する段階であって、前記チャネルパス遅延差は、ＯＬＴ回路伝送遅延間の差分値と、ＯＮＵ回路伝送遅延間の差分値と、異なる波長によって生じる光パス伝送遅延間の差分値とのうち少なくとも１つを備える、決定する段階を備える、請求項９から１１のいずれか一項に記載の方法。
【請求項１３】
前記ＯＮＵにより、第２チャネルを介して前記ＯＬＴと共に第１サービスのデータ伝送を実行する前記段階は、
前記ＯＮＵにより、前記第２チャネルについての前記測距情報と取得された前記識別子とに基づいて、前記第２チャネルを介して前記ＯＬＴと共に前記第１サービスの前記データ伝送を実行する段階を備える、請求項１２に記載の方法。
【請求項１４】
前記方法はさらに、
前記ＯＮＵにより、前記第１チャネルまたは前記第２チャネルを介して、前記ＯＬＴと共に第２サービスのデータ伝送を実行する段階を備える、請求項９から１３のいずれか一項に記載の方法。
【請求項１５】
光回線終端装置（ＯＬＴ）であって、前記ＯＬＴはメモリおよびプロセッサを備え、
前記プロセッサは、前記メモリに結合され、前記メモリに格納された命令を読み取り実行することで、
第１チャネルを介して第１光ネットワークユニット（ＯＮＵ）に識別子を割り当て、前記第１チャネルを介して前記第１ＯＮＵに測距を実行して、前記第１チャネルについての測距情報を取得する段階と、
前記ＯＮＵとのネゴシエーションによって、情報伝送を実行するために２つのチャネルを使用することを決定した後、第２チャネルを介して前記第１ＯＮＵと共に第１サービスのデータ伝送を実行する段階と
といった方法を実行するように構成される、ＯＬＴ。
【請求項１６】
前記プロセッサはさらに、
前記ＯＮＵとのネゴシエーションによって、前記情報伝送を実行するために前記２つのチャネルを使用するかどうかを決定するように構成される、請求項１５に記載のＯＬＴ。
【請求項１７】
前記プロセッサは、
前記第１ＯＮＵにより送信されたデュアルチャネルサポート能力情報を受信することであって、前記デュアルチャネルサポート能力情報は、前記第１ＯＮＵによりサポートされる前記第１チャネルのタイプと前記第２チャネルのタイプとを備える、受信することと、
前記第１ＯＮＵにより送信された前記デュアルチャネルサポート能力情報と前記ＯＬＴのデュアルチャネルサポート能力とに基づいて、前記情報伝送を実行するために前記２つのチャネルを使用するかどうかを決定することと
を行うように具体的に構成される、請求項１６に記載のＯＬＴ。
【請求項１８】
前記プロセッサはさらに、
前記第１ＯＮＵにデュアルチャネル構成情報を送信することであって、前記デュアルチャネル構成情報は、前記ＯＬＴにより選択された前記第１チャネルのタイプと前記第２チャネルのタイプとを備える、送信することを行うように構成される、請求項１６または１７に記載のＯＬＴ。
【請求項１９】
前記プロセッサはさらに、前記第１チャネルについての前記測距情報とチャネルパス遅延差とに基づいて、前記第２チャネルについての測距情報を決定するように構成されており、
前記チャネルパス遅延差は、ＯＬＴ回路伝送遅延間の差分値と、ＯＮＵ回路伝送遅延間の差分値と、異なる波長によって生じる光パス伝送遅延間の差分値とのうち少なくとも１つを備える、決定する段階を備える、
請求項１５から１８のいずれか一項に記載のＯＬＴ。
【請求項２０】
前記プロセッサはさらに、
前記第２チャネルについての前記測距情報と前記第１ＯＮＵに割り当てられた前記識別子とに基づいて、前記第２チャネルを介して、前記第１ＯＮＵと共に前記第１サービスの前記データ伝送を実行するように具体的に構成される、請求項１９に記載のＯＬＴ。
【請求項２１】
前記プロセッサはさらに、
前記第１チャネルまたは前記第２チャネルを介して、前記第１ＯＮＵと共に第２サービスのデータ伝送を実行するように構成される、請求項１５から２０のいずれか一項に記載のＯＬＴ。
【請求項２２】
光ネットワークユニット（ＯＮＵ）であって、前記ＯＮＵはメモリおよびプロセッサを備え、
前記プロセッサは、前記メモリに結合され、前記メモリに格納された命令を読み取り実行することで、
第１チャネルを介して識別子を取得し、前記第１チャネルを介して測距を実行して、前記第１チャネルについての測距情報を取得する段階と、
光回線終端装置（ＯＬＴ）とのネゴシエーションによって、情報伝送を実行するために２つのチャネルを使用することを決定した後、第２チャネルを介して前記ＯＬＴと共に第１サービスのデータ伝送を実行する段階と
といった方法を実行するように構成される、ＯＮＵ。
【請求項２３】
前記プロセッサはさらに、
前記ＯＬＴとのネゴシエーションによって、前記情報伝送を実行するために前記２つのチャネルを使用するかどうかを決定するように構成される、請求項２２に記載のＯＮＵ。
【請求項２４】
前記プロセッサは、
前記ＯＬＴにデュアルチャネルサポート能力情報を送信することであって、前記デュアルチャネルサポート能力情報は、前記ＯＮＵによりサポートされた前記第１チャネルのタイプと前記第２チャネルのタイプとを備える、送信することと、
前記ＯＬＴにより送信されたデュアルチャネル構成情報を受信することであって、前記デュアルチャネル構成情報は、前記ＯＬＴにより選択された前記第１チャネルのタイプと前記第２チャネルのタイプとを備える、受信することと
を行うように具体的に構成される、請求項２３に記載のＯＮＵ。
【請求項２５】
前記プロセッサはさらに、前記第１チャネルについての前記測距情報とチャネルパス遅延差とに基づいて、前記第２チャネルについての測距情報を決定するように構成されており、
前記チャネルパス遅延差は、ＯＬＴ回路伝送遅延間の差分値と、ＯＮＵ回路伝送遅延間の差分値と、異なる波長によって生じる光パス伝送遅延間の差分値とのうち少なくとも１つを備える、決定する段階を備える、
請求項２２から２４のいずれか一項に記載のＯＮＵ。
【請求項２６】
前記プロセッサはさらに、
前記第２チャネルについての前記測距情報と取得された前記識別子とに基づいて、前記第２チャネルを介して、前記ＯＬＴと共に前記第１サービスの前記データ伝送を実行するように具体的に構成される、請求項２５に記載のＯＮＵ。
【請求項２７】
前記プロセッサはさらに、
前記第１チャネルまたは前記第２チャネルを介して、前記ＯＬＴと共に第２サービスのデータ伝送を実行するように構成される、請求項２２から２６のいずれか一項に記載のＯＮＵ。
【請求項２８】
請求項１５から２１のいずれか一項に記載の光回線終端装置（ＯＬＴ）と、請求項２２から２７のいずれか一項に記載の光ネットワークユニット（ＯＮＵ）とを備える、通信システム。
【発明の詳細な説明】
【技術分野】
【０００１】
本願の実施形態は、通信技術、特に、情報伝送方法、光回線終端装置、光ネットワークユニット、および通信システムに関する。
【背景技術】
【０００２】
受動光ネットワーク（ｐａｓｓｉｖｅ  ｏｐｔｉｃａｌ  ｎｅｔｗｏｒｋ，ＰＯＮ）は、ポイントツーマルチポイント構造を使用する１ファイバの双方向アクセスネットワークである。ＰＯＮシステムは主に、光回線終端装置（ｏｐｔｉｃａｌ  ｌｉｎｅ  ｔｅｒｍｉｎａｔｉｏｎ，ＯＬＴ）、光ネットワークユニット（ｏｐｔｉｃａｌ  ｎｅｔｗｏｒｋ  ｕｎｉｔ，ＯＮＵ）、および光分配ネットワーク（ｏｐｔｉｃａｌ  ｄｉｓｔｒｉｂｕｔｉｏｎ  ｎｅｔｗｏｒｋ，ＯＤＮ）を含む。ＯＬＴは中央局装置であり、ＯＮＵはユーザ側デバイスであり、ＯＤＮはＯＬＴとＯＮＵとの間に光チャネルを提供する。ＯＬＴは、フロントエンドスイッチに接続され、フロントエンドスイッチのデジタル信号を光信号に変換し得る。ＯＬＴは、ＯＮＵに対して制御、管理、および測距などを実行し得る。ＯＮＵは、ＯＬＴにより送信されたブロードキャストデータをダウンストリーム方向において受信し得、ユーザ側データをアップストリーム方向においてＯＮＵに送信し得る。１つのＯＬＴに接続された複数のＯＮＵは、アップストリーム方向における異なる時点において、アップストリームサービスを実行する。ＯＬＴに対してアップストリームサービスを実行する前に、ＯＮＵは、ＯＬＴに登録し、ＯＬＴへの制御可能な接続を確立する必要がある。
【０００３】
従来技術において、ＯＬＴは特定の周期ごとに時間帯を予約する。当該時間帯において、オンラインであるＯＮＵにはアップストリームサービスを実行することが許可されず、オンラインでないＯＮＵのみがシリアルナンバー（ｓｅｒｉａｌ  ｎｕｍｂｅｒ，ＳＮ）を送信してまたは測距情報を送信して登録を実行することを許可される。
【０００４】
しかしながら、従来技術における方法は、オンラインであるＯＮＵのアップストリームサービス遅延を増加させ得る。
【発明の概要】
【０００５】
本願の実施形態は、情報伝送方法、光回線終端装置、光ネットワークユニット、および通信システムを提供して、特定の時間帯においてアップストリームサービスが許可されないのでＯＮＵのアップストリームサービス遅延が増加するという先行技術の問題を解消する。
【０００６】
本願の実施形態の第１態様は、情報伝送方法を提供する。方法はＯＬＴに適用され、方法は、ＯＬＴが、第１チャネルを介して第１ＯＮＵに識別子を割り当て、第１チャネルを介して、第１ＯＮＵに測距を実行し、第１チャネルについての測距情報を取得する段階と、ＯＬＴおよび第１ＯＮＵが、情報伝送を実行するために２つのチャネルを使用することをネゴシエーションによって決定した後、ＯＬＴが、第２チャネルを介して、第１ＯＮＵと共に第１サービスのデータ伝送を実行する段階と
を含む。
【０００７】
この方法において、識別子の割り当ておよび測距が第１チャネルを介して実行され、第１サービスのデータ伝送が第２チャネルを介して実行される。このように、遅延要件が比較的に高いサービスデータに対して、比較的に大きい遅延が生成されなくなる。これは、これらのサービスの正常な実行をさらに保証する。
【０００８】
可能な設計において、ＯＬＴが第２チャネルを介して、第１ＯＮＵと共に第１サービスのデータ伝送を実行する前に、方法はさらに、ＯＬＴおよび第１ＯＮＵが、情報伝送を実行するために２つのチャネルを使用するかどうかをネゴシエーションによって決定する段階を含む。
【０００９】
可能な設計において、ＯＬＴおよび第１ＯＮＵが、情報伝送を実行するために２つのチャネルを使用するかどうかをネゴシエーションによって決定する段階は、
ＯＬＴは、第１ＯＮＵにより送信されたデュアルチャネルサポート能力情報を受信する段階であって、ここで、デュアルチャネルサポート能力情報は、第１ＯＮＵによりサポートされる第１チャネルのタイプと第２チャネルのタイプとを含む、受信する段階と、
ＯＬＴは、第１ＯＮＵにより送信されたデュアルチャネルサポート能力情報とＯＬＴのデュアルチャネルサポート能力とに基づいて、情報伝送を実行するために２つのチャネルを使用するかどうかを決定する段階と
を含む。
【００１０】
可能な設計において、ＯＬＴおよび第１ＯＮＵが、情報伝送を実行するために２つのチャネルを使用することをネゴシエーションによって決定した後、方法はさらに、ＯＬＴが、デュアルチャネル構成情報を第１ＯＮＵに送信する段階を含む。デュアルチャネル構成情報は、ＯＬＴにより選択された第１チャネルのタイプと第２チャネルのタイプとを含む。
【００１１】
可能な設計において、ＯＬＴが第２チャネルを介して、第１ＯＮＵと共に第１サービスのデータ伝送を実行する前に、方法はさらに、ＯＬＴが、第１チャネルについての測距情報とチャネルパス遅延差とに基づいて、第２チャネルについての測距情報を決定する段階を含む。
【００１２】
チャネルパス遅延差は、ＯＬＴ回路伝送遅延間の差分値と、ＯＮＵ回路伝送遅延間の差分値と、異なる波長によって生じる光パス伝送遅延間の差分値とのうち少なくとも１つを含む。
【００１３】
可能な設計において、ＯＬＴが第２チャネルを介して、第１ＯＮＵと共に第１サービスのデータ伝送を実行する段階は、ＯＬＴが、第２チャネルについての測距情報と第１ＯＮＵに割り当てられた識別子とに基づいて、第２チャネルを介して、第１ＯＮＵと共に第１サービスのデータ伝送を実行する段階を含む。
【００１４】
可能な設計において、ＯＬＴは、第１チャネルまたは第２チャネルを介して、第１ＯＮＵと共に第２サービスのデータ伝送を実行する。
【００１５】
可能な設計において、第１サービスの遅延は予め設定された遅延より小さく、第２サービスの遅延は予め設定された遅延より大きいまたはそれに等しい。
【００１６】
可能な設計において、第１チャネルによりサポートされる伝送遅延は、第２チャネルによりサポートされる伝送遅延より大きい。
【００１７】
可能な設計において、方法はさらに、ＯＬＴが、第１チャネルまたは第２チャネルを介して、第１ＯＮＵに対して認証管理および伝送構成を実行する段階を含む。
【００１８】
本願の実施形態の第２態様は、情報伝送方法を提供する。方法はＯＮＵに適用され、方法は、
ＯＮＵが、第１チャネルを介して識別子を取得し、第１チャネルを介して、第１チャネルについての測距情報を取得するための測距を実行する段階と、
ＯＮＵおよびＯＬＴが、情報伝送を実行するために２つのチャネルを使用することをネゴシエーションによって決定した後、ＯＮＵが、第２チャネルを介して、ＯＬＴと共に第１サービスのデータ伝送を実行する段階と
を含む。
【００１９】
この方法において、識別子の取得および測距は第１チャネルを介して実行され、第１サービスのデータ伝送は第２チャネルを介して実行される。このように、遅延要件が比較的に高いサービスデータに対して、比較的に大きい遅延が生成されなくなる。これは、これらのサービスの正常な実行をさらに保証する。
【００２０】
可能な設計において、ＯＮＵが第２チャネルを介して、ＯＬＴと共に第１サービスのデータ伝送を実行する前に、方法はさらに、ＯＮＵおよびＯＬＴが、情報伝送を実行するために２つのチャネルを使用するかどうかをネゴシエーションによって決定する段階を含む。
【００２１】
可能な設計において、ＯＮＵおよびＯＬＴが、情報伝送を実行するために２つのチャネルを使用するかどうかをネゴシエーションによって決定する段階は、
ＯＮＵが、デュアルチャネルサポート能力情報をＯＬＴに送信する段階であって、ここで、デュアルチャネルサポート能力情報は、ＯＮＵによりサポートされる第１チャネルのタイプと第２チャネルのタイプとを含む、送信する段階と、
ＯＮＵが、ＯＬＴにより送信されたデュアルチャネル構成情報を受信する段階と
を含む。デュアルチャネル構成情報は、ＯＬＴにより選択された第１チャネルのタイプと第２チャネルのタイプとを含む。
【００２２】
可能な設計において、ＯＮＵが第２チャネルを介して、ＯＬＴと共に第１サービスのデータ伝送を実行する前に、方法はさらに、ＯＮＵが、第１チャネルについての測距情報とチャネルパス遅延差とに基づいて、第２チャネルについての測距情報を決定する段階を含む。
【００２３】
チャネルパス遅延差は、ＯＬＴ回路伝送遅延間の差分値と、ＯＮＵ回路伝送遅延間の差分値と、異なる波長によって生じる光パス伝送遅延間の差分値とのうち少なくとも１つを含む。
【００２４】
可能な設計において、ＯＮＵが第２チャネルを介して、ＯＬＴと共に第１サービスのデータ伝送を実行する段階は、ＯＮＵが、第２チャネルについての測距情報と取得された識別子とに基づいて、第２チャネルを介して、ＯＬＴと共に第１サービスのデータ伝送を実行する段階を含む。
【００２５】
可能な設計において、方法はさらに、ＯＮＵが、第１チャネルまたは第２チャネルを介して、ＯＬＴと共に第２サービスのデータ伝送を実行する段階を含む。
【００２６】
可能な設計において、第１サービスの遅延は予め設定された遅延より小さく、第２サービスの遅延は予め設定された遅延より大きいまたはそれに等しい。
【００２７】
可能な設計において、第１チャネルによりサポートされる伝送遅延は、第２チャネルによりサポートされる伝送遅延より大きい。
【００２８】
本願の実施形態の第３態様は、情報伝送装置を提供する。装置は、ＯＬＴであってもよく、または、第１態様においてＯＬＴにより実行される対応する機能を実行する際にＯＬＴをサポートできる装置であってもよい。装置は、ＯＬＴ内の装置であってもよく、またはチップシステムであってもよい。装置は、処理モジュールと受信モジュールとを含み得る。これらのモジュールは、第１態様においてＯＬＴにより実行される対応する機能を実行し得る。例えば、
処理モジュールは、第１チャネルを介して第１ＯＮＵに識別子を割り当て、第１チャネルを介して、第１ＯＮＵに測距を実行し、第１チャネルについての測距情報を取得するように構成されており、
受信モジュールは、ＯＬＴおよび第１ＯＮＵが、情報伝送を実行するために２つのチャネルを使用することをネゴシエーションによって決定した後、第２チャネルを介して、第１ＯＮＵと共に第１サービスのデータ伝送を実行するように構成される。
【００２９】
本願の実施形態の第４態様は、情報伝送装置を提供する。装置は、ＯＮＵであってもよく、または、第２態様においてＯＮＵにより実行される対応する機能を実行する際にＯＮＵをサポートできる装置であってもよい。装置は、ＯＮＵ内の装置であってもよく、またはチップシステムであってもよい。装置は、処理モジュールと送信モジュールとを含み得る。これらのモジュールは、第２態様においてＯＬＴにより実行される対応する機能を実行し得る。例えば、
処理モジュールは、第１チャネルを介して識別子を取得し、第１チャネルを介して測距を実行し、第１チャネルについての測距情報を取得するように構成されており、
送信モジュールは、ＯＮＵおよびＯＬＴが、情報伝送を実行するために２つのチャネルを使用することをネゴシエーションによって決定した後、第２チャネルを介して、ＯＬＴと共に第１サービスのデータ伝送を実行するように構成される。
【００３０】
本願の実施形態の第５態様は、ＯＬＴを提供する。ＯＬＴは、第１態様で説明された方法におけるＯＬＴの機能を実装するように構成されたプロセッサを含む。ＯＬＴは、プログラム命令およびデータを格納するように構成されたメモリをさらに含み得る。メモリは、プロセッサに結合される。プロセッサは、メモリに格納されたプログラム命令を呼び出して実行し、第１態様に説明された方法におけるＯＬＴの機能を実装し得る。ＯＬＴはさらに、通信インタフェースを含み得る。通信インタフェースは、別のデバイスと通信するために、ＯＬＴにより使用される。例えば、別のデバイスはＯＮＵである。
【００３１】
可能な設計において、ＯＬＴは、
通信インタフェースと、
プログラム命令を格納するように構成されたメモリと、
第１態様に記載の方法を実装するように構成されたプロセッサと
を含む。本願の実施形態第６態様は、ＯＮＵを提供する。ＯＮＵは、第２態様で説明された方法におけるＯＮＵの機能を実装するように構成されたプロセッサを含む。ＯＮＵは、プログラム命令およびデータを格納するように構成されたメモリをさらに含み得る。メモリは、プロセッサに結合される。プロセッサは、メモリに格納されたプログラム命令を呼び出して実行し、第２態様に説明された方法におけるＯＮＵの機能を実装し得る。ＯＮＵはさらに、通信インタフェースを含み得る。通信インタフェースは、別のデバイスと通信するために、ＯＮＵにより使用される。例えば、別のデバイスはＯＬＴである。
【００３２】
可能な設計において、ＯＮＵは、
通信インタフェースと、
プログラム命令を格納するように構成されたメモリと、
第２態様に記載の方法を実装するように構成されたプロセッサと
を含む。
【００３３】
本願の実施形態の第７態様は、通信システムを提供する。システムは、第５態様に係るＯＬＴと、第６態様に係るＯＮＵとを含む。
【００３４】
本願の実施形態の第８態様は、コンピュータプログラム製品を提供する。コンピュータプログラム製品は、コンピュータプログラムコードを含み、コンピュータプログラムコードがコンピュータにより実行される場合、コンピュータは、第１態様または第２態様に記載の方法を実行することが可能となる。
【００３５】
本願の実施形態の第９態様は、コンピュータ可読記憶媒体を提供する。コンピュータ記憶媒体はコンピュータ命令を格納し、コンピュータ命令がコンピュータにより実行される場合、コンピュータは、第１態様または第２態様に記載の方法を実行することが可能となる。
【図面の簡単な説明】
【００３６】
【図１】ＰＯＮのネットワークアーキテクチャの概略図である。
【図２】ＯＮＵ登録の概略フローチャートである。
【図３】本願に係る情報伝送方法のシステムアーキテクチャ図である。
【図４】本願に係る情報伝送方法の別のシステムアーキテクチャ図である。
【図５】本願に係る情報伝送方法の相互作用フローチャートである。
【図６】本願の実施形態に係る情報伝送装置のモジュールの構造図である。
【図７】本願の実施形態に係る情報伝送装置のモジュールの構造図である。
【図８】本願の実施形態に係る別の情報伝送装置のモジュールの構造図である。
【図９】本願の実施形態に係る別の情報伝送装置のモジュールの構造図である。
【図１０】本願の実施形態に係るＯＬＴ１０００の物理ブロック図である。
【図１１】本願の実施形態に係るＯＮＵ２０００の物理ブロック図である。
【発明を実施するための形態】
【００３７】
ＰＯＮは、ポイントツーマルチポイント構造を使用する１ファイバの双方向アクセスネットワークである。従来のポイントツーポイントおよび縁石スイッチへのファイバなどの構造を有するネットワークと比べると、ＰＯＮは、伝送コストを下げ、アクセス側の障害ポイントの増加を回避するという利点を有する。したがって、ＰＯＮは、アクセスネットワークの発展方向とみなされる。
【００３８】
図１は、ＰＯＮのネットワークアーキテクチャの概略図である。図１に示されるように、ＰＯＮシステムは主に、ＯＬＴ、ＯＮＵおよびＯＤＮを含む。ＯＬＴは中央局装置であり、ＯＮＵはユーザ側デバイスであり、ＯＤＮはＯＬＴとＯＮＵとの間に光チャネルを提供する。ＯＬＴは、インターネット、公衆交換電話網（ｐｕｂｌｉｃ  ｓｗｉｔｃｈｅｄ  ｔｅｌｅｐｈｏｎｅ  ｎｅｔｗｏｒｋ，ＰＳＴＮ）、コミュニティアンテナテレビ（ｃｏｍｍｕｎｉｔｙ  ａｎｔｅｎｎａ  ｔｅｌｅｖｉｓｉｏｎ，ＣＡＴＶ）システム、ストリーミングメディアネットワーク、およびモニタリングネットワークなどの様々なフロントエンドネットワークに接続され得る。ＯＬＴは、フロントエンドネットワークのデジタル信号を光信号に変換し、当該光信号を、ＯＤＮを介してＯＮＵに伝送する。ＯＤＮは、ＯＬＴとＯＮＵとの間の光伝送媒体であり、光信号の電力割り当てを完了し得る。ＯＮＵは、ダウンストリーム方向においてＯＬＴによりサービスデータブロードキャストを受信し、アップストリーム方向においてユーザ側サービスデータをＯＮＵに送信する。
【００３９】
ＯＬＴとのサービスデータの交換を実行する前に、ＯＮＵは、まずＯＬＴに登録し得る。任意選択的に、ＯＮＵ登録プロセスは、ＳＮ取得フェーズ、測距フェーズ、認証フェーズ、および実行フェーズに分割され得る。図２は、ＯＮＵ登録の概略フローチャートである。図２に示されるように、ＳＮ取得フェーズにおいて、ＯＬＴは、ＳＮ  ｒｅｑｕｅｓｔメッセージをブロードキャスティングすることによりＯＮＵのＳＮを取得する。ＳＮ  ｒｅｑｕｅｓｔメッセージを受信した後、登録予定のＯＮＵは、ＳＮ  ｒｅｓｐｏｎｓｅメッセージをＯＬＴにフィードバックし、メッセージにＯＮＵのＳＮを追加し得る。ＯＬＴは、ＯＮＵのフィードバックに基づいて、取得された各ＳＮに、対応するＯＮＵ  ＩＤを割り当て、割り当てられたＯＮＵ  ＩＤを、Ａｓｓｉｇｎ  ＯＮＵ＿ＩＤメッセージを介して、ＯＮＵに送信する。ＯＮＵ  ＩＤおよびＳＮは、１対１対応関係である。ＯＮＵ  ＩＤは、ＯＬＴおよびＯＮＵがメッセージ交換を実行する場合に、異なるＯＮＵを区別するために使用されてもよく、ＯＮＵ側に示されてもよい。測距フェーズにおいて、ＯＬＴは、ｒａｎｇｉｎｇ  ｒｅｑｕｅｓｔメッセージをＯＮＵに送信する。メッセージを受信した後、ＯＮＵは、ｒａｎｇｉｎｇ  ｒｅｓｐｏｎｓｅメッセージをＯＬＴにフィードバックする。ＯＬＴは、ｒａｎｇｉｎｇ  ｒｅｑｕｅｓｔメッセージが送信された時点と、ｒａｎｇｉｎｇ  ｒｅｓｐｏｎｓｅメッセージが受信された時点との間の間隔に基づいてＯＮＵ測距を実行し、ｒａｎｇｉｎｇ  ｔｉｍｅメッセージを介してＯＮＵに測距情報を送信する。認証フェーズにおいて、ＯＬＴは主に、認証管理を実行する。認証管理方式は、ＳＮ認証、またはパスワード認証などであり得る。図２において、パスワード認証は例として使用される。ＯＬＴは、ＯＮＵにＰＷＤ  ｒｅｑｕｅｓｔメッセージを送信する。ＯＮＵは、ＯＬＴにＰＷＤ  ｒｅｓｐｏｎｓｅメッセージをフィードバックし、パスワード情報をメッセージに追加する。認証フェーズが終了した後、ＯＬＴは、オンラインである特定のＯＮＵを決定し得、そして、実行フェーズに入る。実行フェーズにおいて、ＯＬＴは、ＯＮＵ管理および制御インタフェース（ＯＮＵ  ｍａｎａｇｅｍｅｎｔ  ａｎｄ  ｃｏｎｔｒｏｌ  ｉｎｔｅｒｆａｃｅ，ＯＭＣＩ）の構成回復、並びに、暗号化およびサービスフロー生成などのＯＭＣＩ管理を実行する。これらの管理および制御プロセスが完了した後、ＯＮＵとＯＬＴとの間でサービスデータの交換が実行される。
【００４０】
可能な設計において、ＯＬＴに接続された複数のＯＮＵが、時分割多重化モードのＯＬＴにアップストリームサービスデータを送信する。しかしながら、前述の認証フェーズが完了する前に、すなわち、ＯＬＴが、ＯＮＵはオンラインであると決定する前に、ＯＮＵは、情報移動を実行するための特定のＴＣＯＮＴリソースを有しない。したがって、可能な設計において、ＯＬＴは、特定の周期ごとに時間帯を予約し得る。当該時間帯において、オンラインであるＯＮＵにはアップストリームサービスを実行することが許可されず、オンラインでないＯＮＵのみがＳＮを送信してまたは測距情報を送信して登録を実行することを許可される。この場合、図２に示されるＳＮ取得フェーズは、「ＳＮウィンドウ」と称され得、図２に示される測距フェーズは、「測距ウィンドウ」と称され得る。
【００４１】
「ＳＮウィンドウ」および「測距ウィンドウ」の持続時間は、同一であってもよく、または異なってもよい。「ＳＮウィンドウ」は、例として使用される。「ＳＮウィンドウ」の持続時間は、２つのフレーム、すなわち、２５０マイクロ秒であると仮定する。２５０マイクロ秒の間、ＯＬＴは、オンラインでないＯＮＵにのみＳＮの送信を許可し、オンラインである別のＯＮＵには、アップストリームサービスデータの送信を許可しない。具体的には、オンラインである別のＯＮＵの場合、最大サービス遅延は２５０マイクロ秒を超える場合がある。
【００４２】
従来の一般インターネットアクセスサービスおよび４Ｋビデオサービスなどのサービスの場合、遅延要件は一般的に２０ミリ秒より小さい。したがって、２５０マイクロ秒の遅延はこれらのサービスに影響しない。しかしながら、仮想現実（ｖｉｒｔｕａｌ  ｒｅａｌｉｔｙ，ＶＲ）クラウドゲーミングおよびＶＲ遠隔医療などのいくつかの新しいサービスの場合、遅延に対して比較的に高い要件が課され、アクセスネットワークに割り当てられた遅延はわずか１５０マイクロ秒であり得る。したがって、前述した方法が使用されるとき、これらのサービスの遅延要件は満たされることができず、これらのサービスは異常となり得る。
【００４３】
本願に説明された技術的解決手段は、前述の問題を解消することを意図している。
【００４４】
図３は、本願に係る情報伝送方法のシステムアーキテクチャ図である。図３に示されるように、方法は、ＯＬＴおよびＯＮＵに関する。
【００４５】
ＯＬＴ側には、２つのＰＯＮメディアアクセス制御（ｍｅｄｉａ  ａｃｃｅｓｓ  ｃｏｎｔｒｏｌ，ＭＡＣ）モジュールが含まれる。ＯＬＴの光モジュールは、２つの波長の逆多重化をサポートする。２つの波長の光信号を逆多重化した後、光モジュールは、光信号を電気信号に変換し、２つのＰＯＮ  ＭＡＣモジュールに電気信号をそれぞれ送信する。２つのＰＯＮ  ＭＡＣモジュールはそれぞれ、２つのタイプの電気信号に対してフレーミングと解析プロセスとを実行して、異なる複数のレートの２つの伝送チャネルをサポートする。例えば、第１ＰＯＮ  ＭＡＣモジュールは、ギガビット対応ＰＯＮ（Ｇｉｇａｂｉｔ−Ｃａｐａｂｌｅ  ＰＯＮ，ＧＰＯＮ）チャネルを実装し、第２ＰＯＮ  ＭＡＣモジュールは、１０Ｇ  ＧＰＯＮ（ＸＧ−ＰＯＮ）チャネルを実装する。
【００４６】
これに対応して、ＯＮＵ側には、２つのＰＯＮ  ＭＡＣモジュールも含まれる。２つのＰＯＮ  ＭＡＣモジュールはそれぞれ、２つのタイプの電気信号に対してフレーミングと解析プロセスとを実行して、異なる複数のレートの２つの伝送チャネルをサポートする。２つの伝送チャネルのレートはそれぞれ、ＯＬＴ側の２つの伝送チャネルのレートと同一である。例えば、ＯＮＵの第１ＰＯＮ  ＭＡＣモジュールはＧＰＯＮチャネルを実装し、ＧＰＯＮチャネルのレートは、ＯＬＴの第１チャネルのレートと同一である。ＯＮＵの第２ＰＯＮ  ＭＡＣモジュールはＸＧ−ＰＯＮチャネルを実装し、ＸＧ−ＰＯＮチャネルのレートは、ＯＬＴの第２チャネルと同一のレートである。
【００４７】
図４は、本願に係る情報伝送方法の別のシステムアーキテクチャ図である。図４に示されるように、方法は、ＯＬＴおよびＯＮＵに関する。
【００４８】
ＯＬＴ側には、２つのＰＯＮ  ＭＡＣモジュールが含まれる。２つのＰＯＮ  ＭＡＣモジュールはそれぞれ、２つのタイプの電気信号に対してフレーミングと解析プロセスとを実行して、異なる複数のレートの２つの伝送チャネルを実装する。例えば、第１ＰＯＮ  ＭＡＣモジュールは、ＧＰＯＮチャネルを実装し、第２ＰＯＮ  ＭＡＣモジュールは、ＸＧ−ＰＯＮチャネルを実装する。
【００４９】
ＯＮＵ側には、１つのＰＯＮ  ＭＡＣモジュールが含まれる。１つのＰＯＮ  ＭＡＣモジュールは、異なる時間帯における異なる複数のレートの伝送チャネルをサポートする。例えば、１つのＰＯＮ  ＭＡＣモジュールは、ＳＮ取得フェーズおよび測距フェーズにおいてＧＰＯＮチャネルを実装し、登録プロセスのアップストリームサービスプロセスおよび別のフェーズにおいてＸＧ−ＰＯＮチャネルを実装する。
【００５０】
本願の技術的解決手段の記載を容易にする目的で、図３および図４に示される前述のシステムアーキテクチャ図は、ＯＬＴとＯＮＵとの間のアーキテクチャのみを示していることに留意されたい。しかしながら、ＯＬＴとＯＮＵとの間の光伝送媒体として、ＯＤＮが依然として使用される。ＯＤＮの具体的な接続および実装方法については、図１に対応する説明を参照されたい。詳細については、ここで再度説明しない。
【００５１】
説明を容易にする目的で、本願では、ＯＬＴおよびＯＮＵにより実装される２つのチャネルはそれぞれ、第１チャネルおよび第２チャネルと称される。第１チャネルの伝送遅延は、第２チャネルの伝送遅延より大きい。具体的には、第１チャネルは高遅延チャネルであり、第２チャネルは低遅延チャネルである。
【００５２】
図５は、本願に係る情報伝送方法の相互作用フローチャートである。図５に示されるように、方法の相互作用プロセスは以下の通りである。
【００５３】
Ｓ５０１：ＯＬＴおよびＯＮＵが、第１チャネルを介して、ＳＮ取得およびＯＮＵ  ＩＤ割り当てを実行する。
【００５４】
任意選択的に、この段階の具体的な実行プロセスは、図２に対応する前述の説明におけるＳＮ取得フェーズの実行プロセスである。具体的には、本願において、ＯＬＴは、第１チャネルを介して、ＳＮ  ｒｅｑｕｅｓｔメッセージをブロードキャストし、ＯＮＵにＡｓｓｉｇｎ  ＯＮＵ＿ＩＤメッセージを送信し、ＯＮＵは、第１チャネルを介してＯＬＴにＳＮ  ｒｅｓｐｏｎｓｅメッセージをフィードバックする。
【００５５】
Ｓ５０２：ＯＬＴおよびＯＮＵは、第１チャネルを介して測距を実行する。
【００５６】
任意選択的に、この段階の具体的な実行プロセスは、図２に対応する前述の説明における測距フェーズの実行プロセスである。具体的には、本願において、ＯＬＴは、第１チャネルを介して、ｒａｎｇｉｎｇ  ｒｅｑｕｅｓｔメッセージとｒａｎｇｉｎｇ  ｔｉｍｅメッセージとをＯＮＵに送信し、ＯＮＵは、第１チャネルを介して、ｒａｎｇｉｎｇ  ｒｅｓｐｏｎｓｅメッセージをＯＬＴにフィードバックする。
【００５７】
Ｓ５０３：ＯＬＴおよびＯＮＵが、情報伝送を実行するために２つのチャネルを使用するかどうかをネゴシエーションによって決定する段階を含む。
【００５８】
任意選択的に、ＯＬＴおよびＯＮＵは、以下の手順を使用することによりネゴシエーションを実行し得る。
【００５９】
Ｓ５０３１：ＯＮＵは、ＯＮＵのデュアルチャネルサポート能力をＯＬＴに報告する。
【００６０】
任意選択的に、ＯＮＵは、拡張された物理層オペレーション、管理およびメンテナンス（Ｐｈｙｓｉｃａｌ  ｌａｙｅｒ  ＯＡＭ，ＰＬＯＡＭ）メッセージを介して、デュアルチャネルサポート能力をＯＮＵに報告し得る。
【００６１】
例えば、前述の拡張されたＰＬＯＡＭメッセージは、Ｅｘｔ＿ｄｕａｌ＿ｃｈａｎｎｅｌ＿ＯＮＵ＿Ａｂｉｌｉｔｙメッセージであり得、当該メッセージの構造は、以下の表１に示され得る。
［表１］
【表１】
2021536184.tif 000003
【００６２】
ＸＧＳ−ＰＯＮは、１０Ｇ  ＧＰＯＮである。ＸＧＳ−ＰＯＮは対称モード（ダウンストリームレートはアップストリームレートと同一である）にある。ＸＧ−ＰＯＮは、非対称モード（ダウンストリームレートはアップストリームレートと異なる）にある。ＴＷＤＭ−ＰＯＮは、時間波長分割多重化ＰＯＮ（ｔｉｍｅ  ａｎｄ  ｗａｖｅｌｅｎｇｔｈ  ｄｉｖｉｓｉｏｎ  ｍｕｌｔｉｐｌｅｘｅｄ  ＰＯＮ）である。ＥＰＯＮは、イーサネット（登録商標）受動光ネットワーク（ｅｔｈｅｒｎｅｔ  ＰＯＮ）である。
【００６３】
前述のテーブル１に示されるように、ＯＮＵは、Ｅｘｔ＿ｄｕａｌ＿ｃｈａｎｎｅｌ＿ＯＮＵ＿Ａｂｉｌｉｔｙメッセージにおける第３、第４および第５バイトを使用することにより、ＯＮＵのデュアルチャネルサポート能力を識別する。
【００６４】
Ｓ５０３２：ＯＬＴは、ＯＮＵのデュアルチャネルサポート能力とＯＬＴのデュアルチャネルサポート能力とに基づいて、情報伝送を実行するために２つのチャネルを使用するかどうかを決定する。
【００６５】
任意選択的に、ＯＮＵが２つのチャネルをサポートし、ＯＮＵによりサポートされる第１チャネルのタイプは、ＯＬＴによりサポートされる第１チャネルのタイプと一致し、ＯＮＵによりサポートされる第２チャネルのタイプは、ＯＬＴによりサポートされる第２チャネルのタイプに一致するとき、ＯＬＴは、情報伝送を実行するために２つのチャネルを使用することを決定し得る。同時に、ＯＬＴは、第１チャネルのタイプと第２チャネルのタイプとを決定し、そしてＯＬＴは、Ｓ５０３３における以下のプロセスを使用することによりＯＮＵにデュアルチャネル構成情報を送信する。
【００６６】
例えば、ＯＮＵによりサポートされる第１チャネルのタイプがＧＰＯＮとＸＧ−ＰＯＮとを含むとき、並びに、ＯＬＴによりサポートされる第１チャネルのタイプがＧＰＯＮおよびＸＧ−ＰＯＮのうち少なくとも１つであるとき、ＯＮＵによりサポートされる第１チャネルのタイプは、ＯＬＴによりサポートされる第１チャネルのタイプと一致すると決定され得る。
【００６７】
第２チャネルのタイプマッチング方式も、前述の方式を参照して実行され得、詳細については再度説明しない。
【００６８】
任意選択的に、ＯＬＴがＯＮＵにより報告されたＥｘｔ＿ｄｕａｌ＿ｃｈａｎｎｅｌ＿ＯＮＵ＿Ａｂｉｌｉｔｙメッセージを受信しないとき、ＯＮＵによりサポートされる第１チャネルのタイプは、ＯＬＴによりサポートされる第１チャネルのタイプと一致しない。または、ＯＮＵによりサポートされる第２チャネルのタイプが、ＯＬＴによりサポートされる第２チャネルのタイプと一致しないとき、ＯＬＴは、伝送のために２つのチャネルを使用しないことを決定する。この場合、ＯＬＴおよびＯＮＵは、既存の方式で単一チャネルに対して情報伝送を依然として実行する。
【００６９】
Ｓ５０３３：ＯＬＴが、デュアルチャネル構成情報をＯＮＵに送信する段階を含む。
【００７０】
任意選択的に、デュアルチャネル構成情報は、第１チャネルおよび第２チャネルの具体的なタイプと、ＯＬＴが情報伝送を実行するために２つのチャネルを使用するかどうかとを識別するのに使用される。
【００７１】
任意選択的に、ＯＬＴは、拡張されたＰＬＯＡＭメッセージを介して、デュアルチャネル構成情報をＯＮＵに送信し得る。
【００７２】
例えば、前述の拡張されたＰＬＯＡＭメッセージは、Ｅｘｔ＿ｄｕａｌ＿ｃｈａｎｎｅｌ＿ｃｏｎｆｉｇメッセージであり得、当該メッセージの構造は、以下の表２に示され得る。
［表２］
【表２】
2021536184.tif 000004
【００７３】
前述のテーブル２に示されるように、ＯＮＵは、Ｅｘｔ＿ｄｕａｌ＿ｃｈａｎｎｅｌ＿ｃｏｎｆｉｇメッセージにおける第３、第４および第５バイトを使用することにより、第１チャネルおよび第２チャネルのタイプと、２つのチャネルが使用されるかどうかとを識別する。
【００７４】
別の例において、Ｅｘｔ＿ｄｕａｌ＿ｃｈａｎｎｅｌ＿ｃｏｎｆｉｇメッセージは代替的に、第３バイトに対応するパラメータを含まなくてもよい。具体的には、情報伝送を実行するために２つのチャネルを使用することを決定するとき、ＯＬＴは、第１チャネルタイプと第２チャネルタイプとを含むＥｘｔ＿ｄｕａｌ＿ｃｈａｎｎｅｌ＿ｃｏｎｆｉｇメッセージを送信する。情報伝送を実行するために２つのチャネルを使用しないことを決定したとき、ＯＬＴは、Ｅｘｔ＿ｄｕａｌ＿ｃｈａｎｎｅｌ＿ｃｏｎｆｉｇメッセージを送信しない。したがって、ＯＮＵがＥｘｔ＿ｄｕａｌ＿ｃｈａｎｎｅｌ＿ｃｏｎｆｉｇメッセージを受信する限り、ＯＮＵは２つのチャネルを使用することを決定し得、そしてＯＮＵは、Ｅｘｔ＿ｄｕａｌ＿ｃｈａｎｎｅｌ＿ｃｏｎｆｉｇメッセージに含まれた第１チャネルタイプと第２チャネルタイプとに基づいて、第１チャネルのタイプと第２チャネルのタイプとを学習する。
【００７５】
その後、２つのチャネルが使用されるとき、ＯＬＴおよびＯＮＵは、以下の実施形態のプロセスを使用することにより、認証フェーズの相互作用と実行フェーズの相互作用とを実行し続ける。２つのチャネルが使用されないとき、ＯＬＴおよびＯＮＵは、既存の方式で単一チャネルに対して情報伝送を依然として実行し、以下の段階を実行しなくなる。具体的な実行プロセスは、本願のこの実施形態では説明しない。
【００７６】
Ｓ５０４：ＯＬＴは、ＯＮＵ  ＩＤと測距情報とを第１チャネルから第２チャネルへと同期する。
【００７７】
任意選択的に、図３および図４に対応する前述の説明に説明されるように、ＯＬＴは２つのＰＯＮ  ＭＡＣモジュールを含む。２つのＰＯＮ  ＭＡＣモジュールはそれぞれ、第１チャネルおよび第２チャネルを実装する。前述の段階から、ＯＬＴおよびＯＮＵがＳＮ取得、ＯＮＵ  ＩＤ割り当て、および測距を、第１チャネルを介して実行することを学習できる。したがって、第１チャネルを実装するように構成された第１ＰＯＮ  ＭＡＣモジュールは、ＯＮＵ  ＩＤおよび測距情報を学習し得、第２チャネルを実装するように構成された第２ＰＯＮ  ＭＡＣモジュールは、ＯＮＵ  ＩＤおよび測距情報を学習しない。したがって、この段階において、ＯＬＴは、ＯＮＵ  ＩＤと測距情報とを第１チャネルから第２チャネルへと同期する。具体的には、第１ＰＯＮ  ＭＡＣモジュールは、ＯＮＵ  ＩＤと測距情報とを第２ＰＯＮ  ＭＡＣモジュールに直接送信し得る。代替的に、第２ＰＯＮ  ＭＡＣモジュールが第１ＰＯＮ  ＭＡＣモジュールに要求を送信し、そして第１ＰＯＮ  ＭＡＣモジュールが、ＯＮＵ  ＩＤと測距情報とを第２ＰＯＮ  ＭＡＣモジュールに送信し得る。これは、本願において限定されるものではない。
【００７８】
ＯＬＴの第２チャネルがＯＮＵ  ＩＤを取得した後、正しいＯＮＵ  ＩＤがダウンストリームメッセージに追加され得、メッセージを送信するＯＮＵは、ＯＮＵ  ＩＤに基づいて認識される。
【００７９】
ＯＬＴの第２チャネルが測距情報を取得した後、第２チャネルに対応する測距情報は、以下の式（１）に従って算出され得る。
【００８０】
ＥＱＤ＿ｘｇｓ１＝ＥＱＤ＿ｇ１＋△ＥＱＤ１  （１）
【００８１】
ＥＱＤ＿ｘｇｓ１は第２チャネルについての測距情報であり、ＥＱＤ＿ｇ１は第１チャネルについての測距情報であり、△ＥＱＤ１は、ＯＬＴの光モジュールから第１チャネルへのパスと、ＯＬＴの光モジュールから第２チャネルへのパスとの遅延差を識別するのに使用される。任意選択的に、△ＥＱＤ１は、△ＥＱＤ＿ｏｌｔ、△ＥＱＤ＿ｏｎｕおよび△ＥＱＤ＿ｆｉｂｒｅのうち１または複数を含み得る。△ＥＱＤ＿ｏｌｔは、ＯＬＴ回路伝送遅延間の差分値である。△ＥＱＤ＿ｏｎｕは、ＯＮＵ回路伝送遅延間の差分値である。任意選択的に、△ＥＱＤ＿ｏｎｕの値は、表１に示されたＥｘｔ＿ｄｕａｌ＿ｃｈａｎｎｅｌ＿ＯＮＵ＿Ａｂｉｌｉｔｙメッセージにおける第７バイトから第１０バイトを使用することにより、ＯＮＵによりＯＬＴへと報告され得る。△ＥＱＤ＿ｆｉｂｒｅは、異なる波長によって生じる光パス伝送遅延間の差分値である。
【００８２】
任意選択的に、△ＥＱＤ１が△ＥＱＤ＿ｏｌｔ、△ＥＱＤ＿ｏｎｕおよび△ＥＱＤ＿ｆｉｂｒｅのうち１つを含むとき、△ＥＱＤ１の値は、△ＥＱＤ＿ｏｌｔ、△ＥＱＤ＿ｏｎｕおよび△ＥＱＤ＿ｆｉｂｒｅのうち１つの値に等しい。
【００８３】
例えば、△ＥＱＤ１が△ＥＱＤ＿ｏｌｔを含むと仮定すると、△ＥＱＤ１の値は、△ＥＱＤ＿ｏｌｔの値に等しい。これに対応して、前述の式（１）は、以下のように表され得る。
【００８４】
ＥＱＤ＿ｘｇｓ１＝ＥＱＤ＿ｇ１＋△ＥＱＤ＿ｏｌｔ
【００８５】
任意選択的に、△ＥＱＤ１が△ＥＱＤ＿ｏｌｔ、△ＥＱＤ＿ｏｎｕおよび△ＥＱＤ＿ｆｉｂｒｅのうち１つより多くを含むとき、△ＥＱＤ１の値は、△ＥＱＤ＿ｏｌｔ、△ＥＱＤ＿ｏｎｕおよび△ＥＱＤ＿ｆｉｂｒｅのうち１つより多の値の合計に等しい。
【００８６】
例えば、△ＥＱＤ１が△ＥＱＤ＿ｏｌｔおよび△ＥＱＤ＿ｏｎｕを含むと仮定すると、前述の式（１）は、以下のように表され得る。
【００８７】
ＥＱＤ＿ｘｇｓ１＝ＥＱＤ＿ｇ１＋△ＥＱＤ＿ｏｌｔ＋△ＥＱＤ＿ｏｎｕ
【００８８】
別の例において、△ＥＱＤ１が△ＥＱＤ＿ｏｌｔ、△ＥＱＤ＿ｏｎｕおよび△ＥＱＤ＿ｆｉｂｒｅを含むと仮定すると、前述の式（１）は、以下のように表され得る。
【００８９】
ＥＱＤ＿ｘｇｓ１＝ＥＱＤ＿ｇ１＋△ＥＱＤ＿ｏｌｔ＋△ＥＱＤ＿ｏｎｕ＋△ＥＱＤ＿ｆｉｂｒｅ
【００９０】
さらに、第２チャネルに対応する測距情報を取得した後、ＯＬＴは、測距情報と前述の取得されたＯＮＵ  ＩＤとに基づいて、ＯＮＵと共にサービスのデータ伝送を実行する。
【００９１】
Ｓ５０５：ＯＮＵは、ＯＮＵ  ＩＤと測距情報とを第１チャネルから第２チャネルへと同期し、同期された測距情報に基づいて、第２チャネルについての測距情報を決定する。
【００９２】
ＯＮＵの内部構造が図３に示された構造であるとき、すなわち、ＯＮＵが２つのＰＯＮ  ＭＡＣモジュールを含むとき、情報同期はこの段階における方法に従って実行され得ることを留意されたい。ＯＮＵの内部構造が図４に示された構造であるとき、すなわち、ＯＮＵが１つのＰＯＮ  ＭＡＣモジュールを含むとき、ＯＮＵはこの段階を実行する必要がない。１つのＰＯＮ  ＭＡＣモジュールが第２チャネルを実装するのに使用される場合、取得されたＯＮＵ  ＩＤと測距情報とは、直接使用され得る。
【００９３】
任意選択的に、ＯＮＵ上の２つのＰＯＮ  ＭＡＣモジュールがそれぞれ第１ＰＯＮ  ＭＡＣモジュールおよび第２ＰＯＮ  ＭＡＣモジュールであり、ここで、第１ＰＯＮ  ＭＡＣモジュールは第１チャネルを実装するように構成されており、第２ＰＯＮ  ＭＡＣモジュールは第２チャネルを実装するように構成されたと仮定する。ＯＮＵがＯＮＵ  ＩＤと測距情報とを第１チャネルから第２チャネルへと同期する場合、第１ＰＯＮ  ＭＡＣモジュールは、ＯＮＵ  ＩＤと測距情報とをＰＯＮ  ＭＡＣモジュールに直接送信してもよく、または、第２ＰＯＮ  ＭＡＣモジュールが第１ＰＯＮ  ＭＡＣモジュールに要求を送信して、そして第１ＰＯＮ  ＭＡＣモジュールがＯＮＵ  ＩＤと測距情報とを第２ＰＯＮ  ＭＡＣモジュールに送信してもよい。これは、本願において限定されるものではない。
【００９４】
任意選択的に、ＯＮＵ  ＩＤについては、ＯＮＵの第２チャネルがＯＮＵ  ＩＤを取得した後、ＯＬＴのダウンストリームブロードキャストメッセージはＯＮＵ  ＩＤに基づいてフィルタリングされ、正しいＯＮＵ  ＩＤがアップストリームメッセージに追加され得る。
【００９５】
任意選択的に、測距情報については、ＯＮＵの第２チャネルが測距情報を取得した後、第２チャネルに対応する測距情報は、前述の式（２）に従って算出され得る。
【００９６】
ＥＱＤ＿ｘｇｓ２＝ＥＱＤ＿ｇ２＋△ＥＱＤ２  （２）
【００９７】
ＥＱＤ＿ｘｇｓ２は、第２チャネルについての測距情報である。ＥＱＤ＿ｇ２は、第１チャネルについての測距情報である。△ＥＱＤ２は、ＯＮＴの光モジュールから第１チャネルへのパスと、ＯＮＴの光モジュールから第２チャネルへのパスとの間の遅延差を識別するのに使用される。任意選択的に、△ＥＱＤ２は、△ＥＱＤ＿ｏｌｔ、△ＥＱＤ＿ｏｎｕおよび△ＥＱＤ＿ｆｉｂｒｅのうち１または複数を含み得る。△ＥＱＤ＿ｏｌｔは、ＯＬＴ回路伝送遅延間の差分値である。任意選択的に、△ＥＱＤ＿ｏｌｔの値は、表２に示されたＥｘｔ＿ｄｕａｌ＿ｃｈａｎｎｅｌ＿ｃｏｎｆｉｇメッセージにおける第７バイトから第１０バイトを使用することにより、ＯＬＴによりＯＮＵへと送信され得る。△ＥＱＤ＿ｏｎｕは、ＯＮＵ回路伝送遅延間の差分値である。△ＥＱＤ＿ｆｉｂｒｅは、異なる波長によって生じる光パス伝送遅延間の差分値である。
【００９８】
任意選択的に、△ＥＱＤ２が△ＥＱＤ＿ｏｌｔ、△ＥＱＤ＿ｏｎｕおよび△ＥＱＤ＿ｆｉｂｒｅのうち１つを含むとき、△ＥＱＤ２の値は、△ＥＱＤ＿ｏｌｔ、△ＥＱＤ＿ｏｎｕおよび△ＥＱＤ＿ｆｉｂｒｅのうち１つの値に等しい。
【００９９】
例えば、△ＥＱＤ２が△ＥＱＤ＿ｏｌｔを含むと仮定すると、△ＥＱＤ２の値は、△ＥＱＤ＿ｏｌｔの値に等しい。これに対応して、前述の式（２）は、以下のように表され得る。
【０１００】
ＥＱＤ＿ｘｇｓ２＝ＥＱＤ＿ｇ２＋△ＥＱＤ＿ｏｌｔ
【０１０１】
任意選択的に、△ＥＱＤ２が△ＥＱＤ＿ｏｌｔ、△ＥＱＤ＿ｏｎｕおよび△ＥＱＤ＿ｆｉｂｒｅのうち複数の項目を含むとき、△ＥＱＤ２の値は、当該複数の項目の値の合計に等しい。
【０１０２】
例えば、△ＥＱＤ２が△ＥＱＤ＿ｏｌｔおよび△ＥＱＤ＿ｏｎｕを含むと仮定すると、前述の式（２）は、以下のように表され得る。
【０１０３】
ＥＱＤ＿ｘｇｓ２＝ＥＱＤ＿ｇ２＋△ＥＱＤ＿ｏｌｔ＋△ＥＱＤ＿ｏｎｕ
【０１０４】
別の例において、△ＥＱＤ２が△ＥＱＤ＿ｏｌｔ、△ＥＱＤ＿ｏｎｕおよび△ＥＱＤ＿ｆｉｂｒｅを含むと仮定すると、前述の式（２）は、以下のように表され得る。
【０１０５】
ＥＱＤ＿ｘｇｓ２＝ＥＱＤ＿ｇ２＋△ＥＱＤ＿ｏｌｔ＋△ＥＱＤ＿ｏｎｕ＋△ＥＱＤ＿ｆｉｂｒｅ
【０１０６】
任意選択的に、ＯＮＵの工場試運転フェーズにおいて、第１チャネルおよび第２チャネルはテストのためにそれぞれオンラインであり、テスト結果間の差に基づいて△ＥＱＤ＿ｏｎｕを取得する。さらに、△ＥＱＤ＿ｏｎｕは、ソフトウェア変数としてＯＮＴソフトウェアプログラムにハードコード化される。さらに、この段階において、第２チャネルに対応する測距情報は、△ＥＱＤに含まれるパラメータに基づいて決定される。例えば、△ＥＱＤが△ＥＱＤ＿ｏｎｕのみを含むと仮定すると、△ＥＱＤ＿ｏｎｕは、第１チャネルから同期されたＥＱＤ＿ｇ２に直接追加され、第２チャネルに対応する測距情報を取得し得る。
【０１０７】
さらに、第２チャネルに対応する測距情報を取得した後、ＯＮＵは、測距情報と取得されたＯＮＵ  ＩＤとに基づいて、ＯＬＴと共にサービスのデータ伝送を実行し得る。任意選択的に、ＯＮＵは、第２チャネルに対応する測距情報と、実行フェーズにおいてＯＬＴにより送信された帯域幅許可情報に指示された許可相対時点とに基づいて、アップストリーム光信号の絶対送信時点を取得し得る。さらに、ＯＮＵは、絶対送信時点に基づいて第２チャネルでアップストリームサービスデータを送信し、ＯＮＵ  ＩＤをアップストリームサービスデータに追加する。
【０１０８】
前述の段階Ｓ５０５は、前述の段階Ｓ５０４の前に代替的に実行され得ることに留意されたい。Ｓ５０４およびＳ５０５の実行順序は、本願において限定されるものではない。
【０１０９】
Ｓ５０６：ＯＬＴおよびＯＮＵが、第１チャネルまたは第２チャネルを介して認証管理を実行する。
【０１１０】
この段階は、図２に対応する説明における認証フェーズを実行するのに使用される。認証フェーズにおいて、ＯＬＴはＯＮＵと相互作用して、認証管理を実行する。
【０１１１】
任意選択的な実装において、ＯＬＴおよびＯＮＵは、第２チャネルを介して認証を実行し得る。
【０１１２】
前述のパスワード認証は、例として使用される。ＯＬＴは、第２チャネルを介してＯＮＵにＰＷＤ  ｒｅｑｕｅｓｔメッセージを送信する。ＯＮＵは、第２チャネルを介してＯＬＴにＰＷＤ  ｒｅｓｐｏｎｓｅメッセージをフィードバックし、パスワード情報をメッセージに追加する。
【０１１３】
ＯＮＵの内部構造が図４に示された構造である場合において、この段階が実行される前にＯＮＵが第１チャネルを実装するとき、この段階では、ＯＮＵは、第１チャネルの実装から第２チャネルの実装へとまず切り替える必要があることに留意されたい。具体的な実装プロセスにおいて、ＯＮＵ側が時分割多重化モードを使用するとき、ＯＮＵは、図４に示された構造を使用し得る。図４に示された構造の場合、任意選択的に、ＯＮＵは、切り替えスイッチを使用することにより、第１チャネルから第２チャネルへと切り替え得る。例えば、切り替えスイッチは、「１」と「０」との２つの値を有し得る。この段階の前に、切り替えスイッチの値は「０」である。これはＯＮＵが現在第１チャネルを実装していることを指示し、すなわち、ＯＮＵのＰＯＮ  ＭＡＣモジュールは、第１チャネルに対応する遅延に基づいて電気信号を処理する。この段階において、ＯＮＵは、切り替えスイッチの値を「１」に切り替える。切り替えスイッチの値が「１」である場合、ＯＮＵのＰＯＮ  ＭＡＣモジュールは、第２チャネルに対応する遅延に基づいて電気信号を処理し、その結果、第１チャネルは第２チャネルに切り替わる。
【０１１４】
別の任意選択的な実装において、ＯＬＴおよびＯＮＵは、第１チャネルを介して認証を実行し得る。
【０１１５】
この実装において、ＯＬＴおよびＯＮＵは、第１チャネルを介して認証を依然として実行する。
【０１１６】
前述のパスワード認証は、例として使用される。ＯＬＴは、第１チャネルを介してＯＮＵにＰＷＤ  ｒｅｑｕｅｓｔメッセージを送信する。ＯＮＵは、第１チャネルを介してＯＬＴにＰＷＤ  ｒｅｓｐｏｎｓｅメッセージをフィードバックし、パスワード情報をメッセージに追加する。
【０１１７】
具体的な実装プロセスにおいて、この段階における認証プロセスが第１チャネルを介して実行されるとき、この段階は、段階Ｓ５０４またはＳ５０５の前に実行されてもよく、すなわち、認証は最初に第１チャネルを介して実行されてもよく、そしてＳ５０４またはＳ５０５は、ＯＮＵ  ＩＤと測距情報とを同期するために実行されることに留意されたい。
【０１１８】
任意選択的に、ＯＬＴおよびＯＮＵは、事前ネゴシエーション方式で、第２チャネルまたは第１チャネルを使用して認証を実行することを決定してもよく、第２チャネルまたは第１チャネルを使用して認証を実行するように予め設定してもよく、または、第２チャネルまたは第１チャネルを固定的に使用して認証を実行し得る。
【０１１９】
ＯＬＴおよびＯＮＵが、事前ネゴシエーション方式で、第２チャネルまたは第１チャネルを使用して認証を実行することを決定するとき、任意選択的に、ＯＬＴおよびＯＮＵは、拡張されたＰＬＯＡＭメッセージまたは拡張されたＯＭＣＩメッセージを介して、ネゴシエーションを実行し得る。
【０１２０】
Ｓ５０７：ＯＬＴおよびＯＮＵは、第１チャネルまたは第２チャネルを介してＯＭＣＩ構成回復およびＯＭＣＩ管理を実行する。
【０１２１】
この段階のプロセスは、伝送構成を実行する段階とみなされ得る。
【０１２２】
この段階は、図２の説明に対応する実行フェーズにおけるＯＭＣＩ構成回復およびＯＭＣＩ管理を実行するのに使用される。実行フェーズに入った後、ＯＭＣＩ構成回復およびＯＭＣＩ管理がまず実行される。
【０１２３】
任意選択的な実装において、ＯＬＴおよびＯＮＵは、第２チャネルを介してＯＭＣＩ構成回復およびＯＭＣＩ管理を実行し得る。
【０１２４】
ＯＮＵの内部構造が図４に示された構造である場合において、この段階が実行される前にＯＮＵが第１チャネルを実装するとき、この段階では、ＯＮＵは、第１チャネルの実装から第２チャネルの実装へとまず切り替える必要があることに留意されたい。具体的な実行プロセスについては、段階Ｓ５０５の説明を参照されたい。詳細については、ここで再度説明しない。
【０１２５】
別の任意選択的な実装において、ＯＬＴおよびＯＮＵは、第１チャネルを介して認証を実行し得る。
【０１２６】
この実装において、ＯＬＴおよびＯＮＵは、第１チャネルを介してＯＭＣＩ構成回復およびＯＭＣＩ管理を依然として実行する。
【０１２７】
具体的な実装プロセスにおいて、この段階における認証プロセスが第１チャネルを介して実行されるとき、この段階は、段階Ｓ５０４またはＳ５０５の前に実行されてもよく、すなわち、ＯＭＣＩ構成回復およびＯＭＣＩ管理は最初に第１チャネルを介して実行されてもよく、そしてＳ５０４またはＳ５０５は、ＯＮＵ  ＩＤと測距情報とを同期するために実行されることに留意されたい。
【０１２８】
任意選択的に、ＯＬＴおよびＯＮＵは、事前ネゴシエーション方式で、第２チャネルまたは第１チャネルを使用してＯＭＣＩ構成回復およびＯＭＣＩ管理を実行することを決定してもよく、第２チャネルまたは第１チャネルを使用してＯＭＣＩ構成回復およびＯＭＣＩ管理を実行するように予め設定してもよく、または、第２チャネルまたは第１チャネルを固定的に使用してＯＭＣＩ構成回復およびＯＭＣＩ管理を実行してもよい。
【０１２９】
ＯＬＴおよびＯＮＵが、事前ネゴシエーション方式で、第２チャネルまたは第１チャネルを使用してＯＭＣＩ構成回復およびＯＭＣＩ管理を実行することを決定するとき、任意選択的に、ＯＬＴおよびＯＮＵは、拡張されたＰＬＯＡＭメッセージまたは拡張されたＯＭＣＩメッセージを介して、ネゴシエーションを実行し得る。
【０１３０】
Ｓ５０８：ＯＬＴおよびＯＮＵは、第２チャネルまたは２つのチャネルを介してサービスデータの交換を実行する。
【０１３１】
ＯＬＴおよびＯＮＵが２つのチャネルを介してサービスデータの交換を実行することは、ＯＬＴおよびＯＮＵが第１チャネルおよび第２チャネルの両方を介してサービスデータの交換を実行することを意味する。
【０１３２】
具体的には、この段階において、ＯＬＴおよびＯＮＵは、以下の２つの方式のいずれかでサービスデータの交換を実行し得る。
【０１３３】
１：ＯＬＴおよびＯＮＵは、第２チャネルを介してサービスデータの交換を実行する。
【０１３４】
このように、ＯＬＴおよびＯＮＵは、第２チャネルを介してサービスデータの交換を実行する。具体的には、ＯＮＵの全てのアップストリームサービスデータが第２チャネルを介してＯＬＴに送信され、ＯＬＴは、第２チャネルを介してＯＮＵにダウンストリームサービスデータを送信する。
【０１３５】
任意選択的に、ＯＬＴ側では、ＯＮＵ  ＩＤと測距情報とが前述の段階Ｓ５０４からＳ５０５を介して同期された後、この段階において、ＯＬＴがダウンストリーム方向で第２チャネルを介してＯＮＵにダウンストリームデータを送信する場合、同期されたＯＮＵ  ＩＤは、ダウンストリームデータに対応するデータパケットに追加され得る。アップストリーム方向において、ＯＬＴは、第２チャネルで、同期されたＯＮＵ  ＩＤに基づいて、アップストリームデータを送信するＯＮＵを決定する。
【０１３６】
ＯＮＵ側では、ＯＮＵ  ＩＤと測距情報とが前述の段階Ｓ５０４からＳ５０５を介して同期された後、この段階において、ＯＮＵがアップストリーム方向で第２チャネルを介してＯＬＴにアップストリームデータを送信する場合、同期されたＯＮＵ  ＩＤは、アップストリームデータに対応するデータパケットに追加され得る。加えて、アップストリームデータの絶対送信時点は、同期された測距情報に基づいて決定あれ得る。ダウンストリーム方向において、ＯＮＵは、第２チャネルで、同期されたＯＮＵ  ＩＤに基づいて、ＯＬＴのダウンストリームブロードキャストメッセージをフィルタリングできる。
【０１３７】
２：ＯＬＴおよびＯＮＵは、第２チャネルまたは第１チャネルを介してサービスデータの交換を実行する。
【０１３８】
このように、ＯＬＴおよびＯＮＵは、第１チャネルおよび第２チャネルの両方を介してサービスデータの交換を実行し得る。
【０１３９】
ＯＬＴとＯＮＵとの間で交換される複数のタイプのサービスがあり得、各タイプは異なる伝送遅延要件を有する。したがって、任意選択的に、サービスの伝送チャネルは、サービスの遅延要件に基づいて決定され得る。
【０１４０】
例えば、サービス遅延要件が予め設定された閾値より小さいサービスデータは第２チャネルで伝送され得、サービス遅延要件が予め設定された閾値より大きいサービスデータは第１チャネルで伝送され得る。
【０１４１】
任意選択的に、この段階の前に、ＯＬＴは、サービスと伝送チャネルとの間のマッピング関係を予め定め、サービスと伝送チャネルとの間のマッピング関係をＯＮＵに通知し得る。さらに、この段階において、ダウンストリームサービスデータを送信する場合、ＯＬＴは、サービスと伝送チャネルとの間のマッピング関係に従って、ダウンストリームサービスデータを伝送するために第２チャネルまたは第１チャネルを使用することを決定し得る。また、ダウンストリームサービスデータを送信する場合、ＯＮＵは、サービスと伝送チャネルとの間のマッピング関係に従って、ダウンストリームサービスデータを伝送するために第２チャネルまたは第１チャネルを使用することを決定し得る。
【０１４２】
任意選択的に、サービスと伝送チャネルとの間のマッピング関係を決定する場合、ＯＬＴは、サービス遅延要件が予め設定された閾値より大きいかどうかに基づいて、サービスに対応する伝送チャネルを決定してもよく、または、手動構成情報に基づいて、サービスと伝送チャネルとの間のマッピング関係を直接取得してもよい。
【０１４３】
ＯＮＵの内部構造が図４に示された構造である場合において、この段階が実行される前にＯＮＵが第１チャネルを実装するとき、この段階では、ＯＮＵは、第１チャネルの実装から第２チャネルの実装へとまず切り替える必要があることに留意されたい。具体的な実行プロセスについては、段階Ｓ５０５の説明を参照されたい。詳細については、ここで再度説明しない。
【０１４４】
本願の前述した方法において、ＳＮ取得プロセスおよび測距プロセスは、比較的に大きい伝送遅延を有する第１チャネルを介して実行され、遅延に対して比較的に高い要件を有するサービスデータは、比較的に少ない伝送遅延を有する第２チャネルを介して伝送される。したがって、遅延要件が比較的に高いサービスデータに対して、比較的に大きい遅延が生成されなくなる。これは、これらのサービスの正常な実行をさらに保証する。
【０１４５】
図６は、本願の実施形態に係る情報伝送装置のモジュールの構造図である。装置はＯＬＴであってもよく、または、本願の実施形態に提供された方法においてＯＬＴの機能を実装する際にＯＬＴをサポートできる装置であってもよい。例えば、装置はＯＬＴ内の装置またはチップシステムであってよい。図６に示されるように、装置は、処理モジュール６０１および受信モジュール６０２を含む。
【０１４６】
処理モジュール６０１は、第１チャネルを介して第１ＯＮＵに識別子を割り当て、第１チャネルを介して第１ＯＮＵに測距を実行して、第１チャネルについての測距情報を取得するように構成される。
【０１４７】
受信モジュール６０２は、ＯＬＴおよび第１ＯＮＵが、情報伝送を実行するために２つのチャネルを使用することをネゴシエーションによって決定した後、第２チャネルを介して第１ＯＮＵと共に第１サービスのデータ伝送を実行するように構成される。
【０１４８】
任意選択的に、処理モジュール６０１はさらに、
ＯＮＵとのネゴシエーションによって、情報伝送を実行するために２つのチャネルを使用するかどうかを決定するように構成される。
【０１４９】
任意選択的に、受信モジュール６０２はさらに、
ＯＮＵにより送信されたデュアルチャネルサポート能力情報を受信するように構成される。デュアルチャネルサポート能力情報は、ＯＮＵによりサポートされる第１チャネルのタイプと第２チャネルのタイプとを含む。
【０１５０】
処理モジュール６０１はさらに、ＯＮＵにより送信されたデュアルチャネルサポート能力情報とＯＬＴのデュアルチャネルサポート能力とに基づいて、情報伝送を実行するために２つのチャネルを使用するかどうかを決定するように構成される。
【０１５１】
図７は、本願の実施形態に係る情報伝送装置のモジュールの構造図である。図７に示されるように、前述の装置はさらに、
ＯＮＵにデュアルチャネル構成情報を送信するように構成された送信モジュール６０３を含む。デュアルチャネル構成情報は、ＯＬＴにより選択された第１チャネルのタイプと第２チャネルのタイプとを含む。
【０１５２】
任意選択的に、処理モジュール６０１はさらに、第１チャネルについての測距情報とチャネルパス遅延差とに基づいて、第２チャネルについての測距情報を決定するように構成される。
【０１５３】
チャネルパス遅延差は、ＯＬＴ回路伝送遅延間の差分値と、ＯＮＵ回路伝送遅延間の差分値と、異なる波長によって生じる光パス伝送遅延間の差分値とのうち少なくとも１つを含む。
【０１５４】
任意選択的に、処理モジュール６０１はさらに、
第２チャネルについての測距情報と第１ＯＮＵに割り当てられた識別子とに基づいて、第２チャネルを介して、第１ＯＮＵと共に第１サービスのデータ伝送を実行するように構成される。
【０１５５】
任意選択的に、受信モジュール６０２はさらに、第１チャネルまたは第２チャネルを介して、第１ＯＮＵと共に第２サービスのデータ伝送を実行するように構成される。
【０１５６】
任意選択的に、第１サービスの遅延は予め設定された遅延より小さく、第２サービスの遅延は予め設定された遅延より大きいまたはそれに等しい。
【０１５７】
任意選択的に、第１チャネルによりサポートされる伝送遅延は、第２チャネルによりサポートされる伝送遅延より大きい。
【０１５８】
任意選択的に、処理モジュール６０１はさらに、第１チャネルまたは第２チャネルを介して、第１ＯＮＵに対して認証管理および伝送構成を実行するように構成される。
【０１５９】
図８は、本願の実施形態に係る別の情報伝送装置のモジュールの構造図である。装置はＯＮＵであってもよく、または、本願の実施形態に提供された方法においてＯＮＵの機能を実装する際にＯＮＵをサポートできる装置であってもよい。例えば、装置はＯＮＵ内の装置またはチップシステムであってよい。図８に示されるように、装置は、処理モジュール８０１および送信モジュール８０２を含む。
【０１６０】
処理モジュール８０１は、第１チャネルを介して識別子を取得し、第１チャネルを介して測距を実行して、第１チャネルについての測距情報を取得するように構成される。
【０１６１】
送信モジュール８０２は、ＯＮＵおよびＯＬＴが、情報伝送を実行するために２つのチャネルを使用することをネゴシエーションによって決定した後、第２チャネルを介してＯＬＴと共に第１サービスのデータ伝送を実行するように構成される。
【０１６２】
任意選択的に、処理モジュール８０１はさらに、
ＯＬＴとのネゴシエーションによって、情報伝送を実行するために２つのチャネルを使用するかどうかを決定するように構成される。
【０１６３】
任意選択的に、送信モジュール８０２はさらに、
ＯＬＴにデュアルチャネルサポート能力情報を送信するように構成される。デュアルチャネルサポート能力情報は、ＯＮＵによりサポートされる第１チャネルのタイプと第２チャネルのタイプとを含む。
【０１６４】
図９は、本願の実施形態に係る別の情報伝送装置のモジュールの構造図である。図９に示されるように、前述の装置はさらに、
ＯＬＴにより送信されたデュアルチャネル構成情報を受信するように構成された受信モジュール８０３を含む。デュアルチャネル構成情報は、ＯＬＴにより選択された第１チャネルのタイプと第２チャネルのタイプとを含む。
【０１６５】
任意選択的に、処理モジュール８０１はさらに、第１チャネルについての測距情報とチャネルパス遅延差とに基づいて、第２チャネルについての測距情報を決定するように構成される。
【０１６６】
チャネルパス遅延差は、ＯＬＴ回路伝送遅延間の差分値と、ＯＮＵ回路伝送遅延間の差分値と、異なる波長によって生じる光パス伝送遅延間の差分値とのうち少なくとも１つを含む。
【０１６７】
任意選択的に、処理モジュール８０１はさらに、
第２チャネルについての測距情報と取得された識別子とに基づいて、第２チャネルを介して、ＯＬＴと共に第１サービスのデータ伝送を実行するように構成される。
【０１６８】
任意選択的に、送信モジュール８０２はさらに、第１チャネルまたは第２チャネルを介して、ＯＬＴと共に第２サービスのデータ伝送を実行するように構成される。
【０１６９】
任意選択的に、第１サービスの遅延は予め設定された遅延より小さく、第２サービスの遅延は予め設定された遅延より大きいまたはそれに等しい。
【０１７０】
任意選択的に、第１チャネルによりサポートされる伝送遅延は、第２チャネルによりサポートされる伝送遅延より大きい。
【０１７１】
本願の実施形態において、モジュールへの分割は一例であり、論理機能分割にすぎない。実際の実装では、別の分割方式が使用され得る。加えて、本願の実施形態における機能モジュールは、１つのプロセッサに統合されてもよく、または、モジュールの各々は物理的に単独で存在してもよく、または、２つまたはそれより多くのモジュールが１つのモジュールに統合されてもよい。統合されたモジュールは、ハードウェアの形態で実装されてもよく、または、ソフトウェア機能モジュールの形態で実装されてもよい。
【０１７２】
図１０は、本願の実施形態に係るＯＬＴ１０００を示す。ＯＬＴ１０００は、前述した方法におけるＯＬＴの機能を実装するように構成される。ＯＬＴ１０００は、本願の実施形態に提供された方法におけるＯＬＴの機能を実装するように構成された少なくとも１つのプロセッサ１０２０を含む。例えば、プロセッサ１０２０は、第１チャネルを介して第１ＯＮＵに識別子を割り当て、第１チャネルを介して第１ＯＮＵに測距を実行して、第１チャネルについての測距情報を取得し得る。詳細については、方法例の詳細な説明を参照されたい。詳細については、ここで再度説明しない。
【０１７３】
ＯＬＴ１０００はさらに、プログラム命令および／またはデータを格納するように構成された少なくとも１つのメモリ１０３０を含み得る。メモリ１０３０は、プロセッサ１０２０に結合される。本願のこの実施形態における結合は、装置、ユニットまたはモジュール間の間接結合または通信接続であり、電気的形態、機械的形態または別の形態であり得、装置、ユニットまたはモジュール間の情報交換に使用される。プロセッサ１０２０は、メモリ１０３０と共に動作し得る。プロセッサ１０２０は、メモリ１０３０に格納されたプログラム命令を実行し得る。少なくとも１つのメモリのうち少なくとも１つは、プロセッサに含まれ得る。
【０１７４】
ＯＬＴ１０００はさらに、伝送媒体を介して別のデバイスと通信するように構成された通信インタフェース１０１０を含み、その結果、通信インタフェース１０１０は、ＯＮＵ２０００内の装置または別のデバイスと通信するように構成され得る。本願の実施形態において、通信インタフェースは、例えば、モジュール、回路、バスまたはそれらの組み合わせなどの任意の形態で通信を実行できるインタフェースであり得る。任意選択的に、通信インタフェース１０１０は送受信機であり得る。プロセッサ１０２０は、通信インタフェース１０１０を介してデータを送受信し、前述の方法の実施形態のＯＬＴにより実行される方法を実装するように構成される。
【０１７５】
本願のこの実施形態において、通信インタフェース１０１０、プロセッサ１０２０およびメモリ１０３０間の具体的な接続媒体は、限定されるものではない。本願のこの実施形態において、メモリ１０３０、プロセッサ１０２０および通信インタフェース１０１０は、図１０におけるバス１０４０を介して接続され、当該バスは図１０で太線により表される。他のコンポーネント間の接続方式は概略的に説明されており、これに限定されるものではない。バスはアドレスバス、データバス、およびコントロールバスなどに分類され得る。表現しやすくするために、図１０ではバスを表すのに１つの太線のみが使用されるが、これは、１つのバスのみまたは１つのタイプのバスのみが存在することを意味するものではない。
【０１７６】
図１１は、本願の実施形態に係るＯＮＵ２０００を示す。ＯＮＵ２０００は、前述した方法におけるＯＮＵの機能を実装するように構成される。ＯＮＵ２０００は、本願の実施形態に提供された方法におけるＯＮＵの機能を実装するように構成された少なくとも１つのプロセッサ２０２０を含む。例えば、プロセッサ２０２０は、第１チャネルを介して識別子を取得し、第１チャネルを介して測距を実行して、第１チャネルについての測距情報を取得し得る。詳細については、方法例の詳細な説明を参照されたい。詳細については、ここで再度説明しない。
【０１７７】
ＯＮＵ２０００はさらに、プログラム命令および／またはデータを格納するように構成された少なくとも１つのメモリ２０３０を含み得る。メモリ２０３０はプロセッサ２０２０に結合される。本願のこの実施形態における結合は、装置、ユニットまたはモジュール間の間接結合または通信接続であり、電気的形態、機械的形態または別の形態であり得、装置、ユニットまたはモジュール間の情報交換に使用される。プロセッサ２０２０は、メモリ２０３０と共に動作し得る。プロセッサ２０２０は、メモリ２０３０に格納されたプログラム命令を実行し得る。少なくとも１つのメモリのうち少なくとも１つは、プロセッサに含まれ得る。
【０１７８】
ＯＮＵ２０００はさらに、伝送媒体を介して別のデバイスと通信するように構成された通信インタフェース２０１０を含み、その結果、通信インタフェース２０１０は、ＯＬＴ１０００内の装置または別のデバイスと通信するように構成され得る。本願の実施形態において、通信インタフェースは、例えば、モジュール、回路、バスまたはそれらの組み合わせなどの任意の形態で通信を実行できるインタフェースであり得る。任意選択的に、通信インタフェース２０１０は送受信機であり得る。プロセッサ２０２０は、通信インタフェース２０１０を介してデータを送受信し、前述の方法の実施形態のＯＮＵにより実行される方法を実装するように構成される。
【０１７９】
本願のこの実施形態において、通信インタフェース２０１０、プロセッサ２０２０およびメモリ２０３０間の具体的な接続媒体は、限定されるものではない。本願のこの実施形態において、メモリ２０３０、プロセッサ２０２０および通信インタフェース２０１０は、図１１におけるバス２０４０を介して接続され、当該バスは図１１で太線により表される。他のコンポーネント間の接続方式は概略的に説明されており、これに限定されるものではない。バスはアドレスバス、データバス、およびコントロールバスなどに分類され得る。表現しやすくするために、図１１ではバスを表すのに１つの太線のみが使用されるが、これは、１つのバスのみまたは１つのタイプのバスのみが存在することを意味するものではない。
【０１８０】
本願の実施形態において、プロセッサは汎用プロセッサ、デジタル信号プロセッサ、特定用途向け集積回路、フィールドプログラマブルゲートアレイまたは別のプログラム可能な論理デバイス、ディスクリートゲートもしくはトランジスタ論理デバイス、またはディスクリートハードウェアコンポーネントであり得、本願の実施形態に開示された方法、段階および論理ブロック図を実装または実行し得る。汎用プロセッサは、マイクロプロセッサまたは任意の従来のプロセッサなどであり得る。本願の実施形態を参照して開示される方法の段階は、ハードウェアプロセッサにより直接実行されてもよく、または、プロセッサ内のハードウェアとソフトウェアモジュールとの組み合わせにより実行されてもよい。
【０１８１】
本願のこの実施形態において、メモリは、例えば、ハードディスクドライブ（ｈａｒｄ  ｄｉｓｋ  ｄｒｉｖｅ，ＨＤＤ）またはソリッドステートドライブ（ｓｏｌｉｄ−ｓｔａｔｅ  ｄｒｉｖｅ，ＳＳＤ）などの不揮発性メモリであってもよく、または、例えば、ランダムアクセスメモリ（ｒａｎｄｏｍ−ａｃｃｅｓｓ  ｍｅｍｏｒｙ，ＲＡＭ）などの揮発性メモリ（ｖｏｌａｔｉｌｅ  ｍｅｍｏｒｙ）であってもよい。メモリは、命令またはデータ構造の形態で所望のプログラムコードを搬送または格納するのに使用され得る、且つ、コンピュータによりアクセスされ得る任意の他の媒体であるが、これらに限定されるものではない。本願の実施形態のメモリは代替的に、格納機能を実装できる回路または任意の他の装置であり得、プログラム命令および／またはデータを格納するように構成される。
【０１８２】
本願の実施形態における前述した方法の全部または一部は、ソフトウェア、ハードウェア、ファームウェアまたはこれらの任意の組み合わせにより実装され得る。実施形態を実装するのにソフトウェアが使用される場合、実施形態の全部または一部は、コンピュータプログラム製品の形態で実装され得る。コンピュータプログラム製品は、１または複数のコンピュータ命令を含む。コンピュータプログラム命令がコンピュータ上にロードされ実行される場合、本発明の実施形態に係る手順または機能は、全てまたは部分的に生成される。コンピュータは、汎用コンピュータ、専用コンピュータ、コンピュータネットワーク、ネットワークデバイス、ユーザ機器、または別のプログラム可能な装置であり得る。コンピュータ命令は、コンピュータ可読記憶媒体に格納されてもよく、または、コンピュータ可読記憶媒体から別のコンピュータ可読記憶媒体に伝送されてもよい。例えば、コンピュータ命令は、ウェブサイト、コンピュータ、サーバまたはデータセンターから、別のウェブサイト、コンピュータ、サーバまたはデータセンターに、有線（例えば、同軸ケーブル、光ファイバまたはデジタル加入者線（ｄｉｇｉｔａｌ  ｓｕｂｓｃｒｉｂｅｒ  ｌｉｎｅ，略してＤＳＬ））方式、または無線（例えば、赤外線、ラジオまたはマイクロ波）方式で伝送され得る。コンピュータ可読記憶媒体は、コンピュータによりアクセス可能な任意の使用可能な媒体、または、１または複数の使用可能な媒体を統合するサーバまたはデータセンターなどのデータストレージデバイスであり得る。使用可能な媒体は、磁気媒体（例えば、フロッピディスク、ハードディスクまたは磁気テープ）、光媒体（例えば、デジタルビデオディスク（ｄｉｇｉｔａｌ  ｖｉｄｅｏ  ｄｉｓｃ，略してＤＶＤ））、または半導体媒体（例えば、ＳＳＤ）などであり得る。
【０１８３】
当業者は、本願の範囲から逸脱することなく、本願の様々な修正および変形を行うことができることが明らかである。本願のこれらの修正および変形が、以下の特許請求の範囲およびその均等な技術により定義される保護範囲に含まれる限り、本願はこれらの修正および変形を包含することが意図されている。
［他の考えられる項目］
［項目１］
光回線終端装置ＯＬＴに適用される情報伝送方法であって、上記方法は、
上記ＯＬＴにより、第１チャネルを介して、第１光ネットワークユニットＯＮＵに識別子を割り当て、上記第１チャネルを介して上記第１ＯＮＵに測距を実行して、上記第１チャネルについての測距情報を取得する段階と、
上記ＯＬＴおよび上記第１ＯＮＵにより、情報伝送を実行するために２つのチャネルを使用することをネゴシエーションによって決定した後、上記ＯＬＴにより、第２チャネルを介して上記第１ＯＮＵと共に第１サービスのデータ伝送を実行する段階と
を備える、方法。
［項目２］
上記ＯＬＴにより、第２チャネルを介して上記第１ＯＮＵと共に第１サービスのデータ伝送を実行する上記段階の前に、上記方法はさらに、
上記ＯＬＴおよび上記第１ＯＮＵにより、上記情報伝送を実行するために上記２つのチャネルを使用するかどうかをネゴシエーションによって決定する段階を備える、項目１に記載の方法。
［項目３］
上記ＯＬＴおよび上記第１ＯＮＵにより、上記情報伝送を実行するために上記２つのチャネルを使用するかどうかをネゴシエーションによって決定する上記段階は、
上記ＯＬＴにより、上記第１ＯＮＵにより送信されたデュアルチャネルサポート能力情報を受信する段階であって、上記デュアルチャネルサポート能力情報は、上記第１ＯＮＵによりサポートされる上記第１チャネルのタイプと上記第２チャネルのタイプとを備える、受信する段階と、
上記ＯＬＴにより、上記第１ＯＮＵにより送信された上記デュアルチャネルサポート能力情報と上記ＯＬＴのデュアルチャネルサポート能力とに基づいて、上記情報伝送を実行するために上記２つのチャネルを使用するかどうかを決定する段階と
を備える、項目２に記載の方法。
［項目４］
上記ＯＬＴおよび上記第１ＯＮＵにより、上記情報伝送を実行するために上記２つのチャネルを使用することをネゴシエーションによって決定する上記段階の後、上記方法はさらに、
上記ＯＬＴにより、上記第１ＯＮＵにデュアルチャネル構成情報を送信する段階であって、上記デュアルチャネル構成情報は、上記ＯＬＴにより選択された上記第１チャネルのタイプと上記第２チャネルのタイプとを備える、送信する段階を備える、項目２または３に記載の方法。
［項目５］
上記ＯＬＴにより、第２チャネルを介して上記第１ＯＮＵと共に第１サービスのデータ伝送を実行する上記段階の前に、上記方法はさらに、
上記ＯＬＴにより、上記第１チャネルについての上記測距情報とチャネルパス遅延差とに基づいて、上記第２チャネルについての測距情報を決定する段階であって、上記チャネルパス遅延差は、ＯＬＴ回路伝送遅延間の差分値と、ＯＮＵ回路伝送遅延間の差分値と、異なる波長によって生じる光パス伝送遅延間の差分値とのうち少なくとも１つを備える、決定する段階を備える、項目１から４のいずれか一項に記載の方法。
［項目６］
上記ＯＬＴにより、第２チャネルを介して上記第１ＯＮＵと共に第１サービスのデータ伝送を実行する上記段階は、
上記ＯＬＴにより、上記第２チャネルについての上記測距情報と上記第１ＯＮＵに割り当てられた上記識別子とに基づいて、上記第２チャネルを介して上記第１ＯＮＵと共に上記第１サービスの上記データ伝送を実行する段階を備える、項目５に記載の方法。
［項目７］
上記方法はさらに、
上記ＯＬＴにより、上記第１チャネルまたは上記第２チャネルを介して、上記第１ＯＮＵと共に第２サービスのデータ伝送を実行する段階を備える、項目１から６のいずれか一項に記載の方法。
［項目８］
上記第１サービスの遅延は予め設定された遅延より小さく、上記第２サービスの遅延は上記予め設定された遅延より大きいまたはそれに等しい、項目７に記載の方法。
［項目９］
光ネットワークユニットＯＮＵに適用された情報伝送方法であって、上記方法は、
上記ＯＮＵにより、第１チャネルを介して識別子を取得し、上記第１チャネルを介して測距を実行して、上記第１チャネルについての測距情報を取得する段階と、
上記ＯＮＵおよび光回線終端装置ＯＬＴにより、情報伝送を実行するために２つのチャネルを使用することをネゴシエーションによって決定した後、上記ＯＮＵにより、第２チャネルを介して上記ＯＬＴと共に第１サービスのデータ伝送を実行する段階と
を備える、方法。
［項目１０］
上記ＯＮＵにより、第２チャネルを介して上記ＯＬＴと共に第１サービスのデータ伝送を実行する上記段階の前に、上記方法はさらに、
上記ＯＮＵおよび上記ＯＬＴにより、上記情報伝送を実行するために上記２つのチャネルを使用するかどうかをネゴシエーションによって決定する段階を備える、項目９に記載の方法。
［項目１１］
上記ＯＮＵおよび上記ＯＬＴにより、上記情報伝送を実行するために上記２つのチャネルを使用するかどうかをネゴシエーションによって決定する上記段階は、
上記ＯＮＵにより、上記ＯＬＴにデュアルチャネルサポート能力情報を送信する段階であって、上記デュアルチャネルサポート能力情報は、上記ＯＮＵによりサポートされる上記第１チャネルのタイプと上記第２チャネルのタイプとを備える、送信する段階と、
上記ＯＮＵにより、上記ＯＬＴにより送信されたデュアルチャネル構成情報を受信する段階であって、上記デュアルチャネル構成情報は、上記ＯＬＴにより選択された上記第１チャネルのタイプと上記第２チャネルのタイプとを備える、受信する段階と
を備える、項目１０に記載の方法。
［項目１２］
上記ＯＮＵにより、第２チャネルを介して上記ＯＬＴと共に第１サービスのデータ伝送を実行する上記段階の前に、上記方法はさらに、
上記ＯＮＵにより、上記第１チャネルについての上記測距情報とチャネルパス遅延差とに基づいて、上記第２チャネルについての測距情報を決定する段階であって、上記チャネルパス遅延差は、ＯＬＴ回路伝送遅延間の差分値と、ＯＮＵ回路伝送遅延間の差分値と、異なる波長によって生じる光パス伝送遅延間の差分値とのうち少なくとも１つを備える、決定する段階を備える、項目９から１１のいずれか一項に記載の方法。
［項目１３］
上記ＯＮＵにより、第２チャネルを介して上記ＯＬＴと共に第１サービスのデータ伝送を実行する上記段階は、
上記ＯＮＵにより、上記第２チャネルについての上記測距情報と取得された上記識別子とに基づいて、上記第２チャネルを介して上記ＯＬＴと共に上記第１サービスの上記データ伝送を実行する段階を備える、項目１２に記載の方法。
［項目１４］
上記方法はさらに、
上記ＯＮＵにより、上記第１チャネルまたは上記第２チャネルを介して、上記ＯＬＴと共に第２サービスのデータ伝送を実行する段階を備える、項目９から１３のいずれか一項に記載の方法。
［項目１５］
光回線終端装置ＯＬＴであって、上記ＯＬＴはメモリおよびプロセッサを備え、
上記プロセッサは、上記メモリに結合され、上記メモリに格納された命令を読み取り実行することで、
第１チャネルを介して第１光ネットワークユニットＯＮＵに識別子を割り当て、上記第１チャネルを介して上記第１ＯＮＵに測距を実行して、上記第１チャネルについての測距情報を取得する段階と、
上記ＯＮＵとのネゴシエーションによって、情報伝送を実行するために２つのチャネルを使用することを決定した後、第２チャネルを介して上記第１ＯＮＵと共に第１サービスのデータ伝送を実行する段階と
といった方法を実行するように構成される、ＯＬＴ。
［項目１６］
上記プロセッサはさらに、
上記ＯＮＵとのネゴシエーションによって、上記情報伝送を実行するために上記２つのチャネルを使用するかどうかを決定するように構成される、項目１５に記載のＯＬＴ。
［項目１７］
上記プロセッサは、
上記第１ＯＮＵにより送信されたデュアルチャネルサポート能力情報を受信することであって、上記デュアルチャネルサポート能力情報は、上記第１ＯＮＵによりサポートされる上記第１チャネルのタイプと上記第２チャネルのタイプとを備える、受信することと、
上記第１ＯＮＵにより送信された上記デュアルチャネルサポート能力情報と上記ＯＬＴのデュアルチャネルサポート能力とに基づいて、上記情報伝送を実行するために上記２つのチャネルを使用するかどうかを決定することと
を行うように具体的に構成される、項目１６に記載のＯＬＴ。
［項目１８］
上記プロセッサはさらに、
上記第１ＯＮＵにデュアルチャネル構成情報を送信することであって、上記デュアルチャネル構成情報は、上記ＯＬＴにより選択された上記第１チャネルのタイプと上記第２チャネルのタイプとを備える、送信することを行うように構成される、項目１６または１７に記載のＯＬＴ。
［項目１９］
上記プロセッサはさらに、上記第１チャネルについての上記測距情報とチャネルパス遅延差とに基づいて、上記第２チャネルについての測距情報を決定するように構成されており、
上記チャネルパス遅延差は、ＯＬＴ回路伝送遅延間の差分値と、ＯＮＵ回路伝送遅延間の差分値と、異なる波長によって生じる光パス伝送遅延間の差分値とのうち少なくとも１つを備える、決定する段階を備える、
項目１５から１８のいずれか一項に記載のＯＬＴ。
［項目２０］
上記プロセッサはさらに、
上記第２チャネルについての上記測距情報と上記第１ＯＮＵに割り当てられた上記識別子とに基づいて、上記第２チャネルを介して、上記第１ＯＮＵと共に上記第１サービスの上記データ伝送を実行するように具体的に構成される、項目１９に記載のＯＬＴ。
［項目２１］
上記プロセッサはさらに、
上記第１チャネルまたは上記第２チャネルを介して、上記第１ＯＮＵと共に第２サービスのデータ伝送を実行するように構成される、項目１５から２０のいずれか一項に記載のＯＬＴ。
［項目２２］
光ネットワークユニットＯＮＵであって、上記ＯＮＵはメモリおよびプロセッサを備え、
上記プロセッサは、上記メモリに結合され、上記メモリに格納された命令を読み取り実行することで、
第１チャネルを介して識別子を取得し、上記第１チャネルを介して測距を実行して、上記第１チャネルについての測距情報を取得する段階と、
光回線終端装置ＯＬＴとのネゴシエーションによって、情報伝送を実行するために２つのチャネルを使用することを決定した後、第２チャネルを介して上記ＯＬＴと共に第１サービスのデータ伝送を実行する段階と
といった方法を実行するように構成される、ＯＮＵ。
［項目２３］
上記プロセッサはさらに、
上記ＯＬＴとのネゴシエーションによって、上記情報伝送を実行するために上記２つのチャネルを使用するかどうかを決定するように構成される、項目２２に記載のＯＮＵ。
［項目２４］
上記プロセッサは、
上記ＯＬＴにデュアルチャネルサポート能力情報を送信することであって、上記デュアルチャネルサポート能力情報は、上記ＯＮＵによりサポートされた上記第１チャネルのタイプと上記第２チャネルのタイプとを備える、送信することと、
上記ＯＬＴにより送信されたデュアルチャネル構成情報を受信することであって、上記デュアルチャネル構成情報は、上記ＯＬＴにより選択された上記第１チャネルのタイプと上記第２チャネルのタイプとを備える、受信することと
を行うように具体的に構成される、項目２３に記載のＯＮＵ。
［項目２５］
上記プロセッサはさらに、上記第１チャネルについての上記測距情報とチャネルパス遅延差とに基づいて、上記第２チャネルについての測距情報を決定するように構成されており、
上記チャネルパス遅延差は、ＯＬＴ回路伝送遅延間の差分値と、ＯＮＵ回路伝送遅延間の差分値と、異なる波長によって生じる光パス伝送遅延間の差分値とのうち少なくとも１つを備える、決定する段階を備える、
項目２２から２４のいずれか一項に記載のＯＮＵ。
［項目２６］
上記プロセッサはさらに、
上記第２チャネルについての上記測距情報と取得された上記識別子とに基づいて、上記第２チャネルを介して、上記ＯＬＴと共に上記第１サービスの上記データ伝送を実行するように具体的に構成される、項目２５に記載のＯＮＵ。
［項目２７］
上記プロセッサはさらに、
上記第１チャネルまたは上記第２チャネルを介して、上記ＯＬＴと共に第２サービスのデータ伝送を実行するように構成される、項目２２から２６のいずれか一項に記載のＯＮＵ。
［項目２８］
項目１５から２１のいずれか一項に記載の光回線終端装置ＯＬＴと、項目２２から２７のいずれか一項に記載の光ネットワークユニットＯＮＵとを備える、通信システム。
［項目２９］
コンピュータプログラム製品であって、上記コンピュータプログラム製品はコンピュータプログラムコードを備え、上記コンピュータプログラムコードがコンピュータにより実行される場合、上記コンピュータは項目１から８のいずれか一項に記載の方法を実行することが可能となる、あるいは、上記コンピュータは項目９から１４のいずれか一項に記載の方法を実行することが可能となる、コンピュータプログラム製品。
［項目３０］
コンピュータ可読記憶媒体であって、上記コンピュータ記憶媒体はコンピュータ命令を格納し、上記コンピュータ命令がコンピュータにより実行される場合、上記コンピュータは項目１から８のいずれか一項に記載の方法を実行することが可能となる、あるいは、上記コンピュータは項目９から１４のいずれか一項に記載の方法を実行することが可能となる、コンピュータ可読記憶媒体。
【図１】
2021536184.tif 000005
【図２】
2021536184.tif 000006
【図３】
2021536184.tif 000007
【図４】
2021536184.tif 000008
【図５】
2021536184.tif 000009
【図６】
2021536184.tif 000010
【図７】
2021536184.tif 000011
【図８】
2021536184.tif 000012
【図９】
2021536184.tif 000013
【図１０】
2021536184.tif 000014
【図１１】
2021536184.tif 000015
【国際調査報告】
2021536184.tif 000016
2021536184.tif 000017
2021536184.tif 000018
2021536184.tif 000019